(57)【要約】  本発明の実施例は通信方法及び通信装置を提供し、リソースの無駄を減少して、リソース使用率を向上させることができる。前記通信方法は、端末デバイスは予め設定されたアップリンクシーケンスを送信し、前記予め設定されたアップリンクシーケンスは前記予め設定されたアップリンクシーケンスを受信したネットワークデバイスが第１ダウンリンク基準信号を送信することをトリガーすることに用いられること、及び前記端末デバイスは少なくとも１つの第１ネットワークデバイスが前記予め設定されたアップリンクシーケンスによって送信した前記第１ダウンリンク基準信号を受信することを含み、前記ネットワークデバイスは前記少なくとも１つの第１ネットワークデバイスを備える。
2019533914.tif 000002
【特許請求の範囲】
【請求項１】
通信方法であって、前記通信方法は、
端末デバイスは予め設定されたアップリンクシーケンスを送信し、前記予め設定されたアップリンクシーケンスは前記予め設定されたアップリンクシーケンスを受信したネットワークデバイスが第１ダウンリンク基準信号を送信することをトリガーすることに用いられること、及び
前記端末デバイスは少なくとも１つの第１ネットワークデバイスが前記予め設定されたアップリンクシーケンスによって送信した前記第１ダウンリンク基準信号を受信することを含むことを特徴とする通信方法。
【請求項２】
前記通信方法は、
前記端末デバイスは第２ネットワークデバイスが送信したダウンリンクメッセージを受信し、前記ダウンリンクメッセージはリソース情報及び／又はパラメータ情報を含み、前記リソース情報は前記少なくとも１つの第１ネットワークデバイスにおける各第１ネットワークデバイスが前記第１ダウンリンク基準信号を送信するのに占用したリソースを指示することに用いられ、前記パラメータ情報は各第１ネットワークデバイスが前記第１ダウンリンク基準信号を送信するパラメータを指示することに用いられることを更に含み、
前記端末デバイスは少なくとも１つの第１ネットワークデバイスが前記予め設定されたアップリンクシーケンスによって送信した前記第１ダウンリンク基準信号を受信するのは、
前記端末デバイスは前記リソース情報及び／又はパラメータ情報によって、前記少なくとも１つの第１ネットワークデバイスが送信した前記第１ダウンリンク基準信号を受信することを含むことを特徴とする請求項１に記載の通信方法。
【請求項３】
前記ダウンリンクメッセージは前記端末デバイスを指示するための指示情報を更に含み、アイドル状態にある前記端末デバイスは前記指示情報によって前記ダウンリンクメッセージが前記端末デバイスに属することを確定することに用いられることを特徴とする請求項２に記載の通信方法。
【請求項４】
前記指示情報は前記予め設定されたアップリンクシーケンス又は前記予め設定されたアップリンクシーケンスのインデックスを含むことを特徴とする請求項３に記載の通信方法。
【請求項５】
前記通信方法は、
前記端末デバイスは前記端末デバイス位置を指示するための位置情報を送信し、前記指示情報は前記位置情報を含むこと、及び／又は
前記端末デバイスは前記端末デバイスを識別するための識別情報を送信し、前記指示情報が前記識別情報を含むことを更に含むことを特徴とする請求項３又は４に記載の通信方法。
【請求項６】
前記通信方法は、
前記端末デバイスは前記端末デバイスの位置を指示するための位置情報を送信し、前記予め設定されたアップリンクシーケンスを受信したネットワークデバイスが前記位置情報によって前記第１ダウンリンク基準信号を送信するかどうかを確定することに用いられることを更に含むことを特徴とする請求項１〜４のいずれかに記載の通信方法。
【請求項７】
前記端末デバイスは予め設定されたアップリンクシーケンスを送信する前に、前記通信方法は、
前記端末デバイスは少なくとも１つの第３ネットワークデバイスが第１密度で送信した前記第１ダウンリンク基準信号を受信することを更に含み、
前記予め設定されたアップリンクシーケンスは具体的に、前記予め設定されたアップリンクシーケンスを受信したネットワークデバイスが第２密度で前記第１ダウンリンク基準信号を送信するようにトリガーすることに用いられ、前記端末デバイスは少なくとも１つの第１ネットワークデバイスが前記予め設定されたアップリンクシーケンスによって送信した前記第１ダウンリンク基準信号を受信するのは、
前記端末デバイスは少なくとも１つの第１ネットワークデバイスが前記予め設定されたアップリンクシーケンスによって第２密度で送信した前記第１ダウンリンク基準信号を受信することを含み、前記第２密度は前記第１密度より大きいことを特徴とする請求項１〜６のいずれかに記載の通信方法。
【請求項８】
前記端末デバイスが予め設定されたアップリンクシーケンスを送信するのは、
前記端末デバイスはトリガー条件を満たす時、前記予め設定されたアップリンクシーケンスを受信したネットワークデバイスがダウンリンク公共基準信号を送信するようにトリガーするための前記予め設定されたアップリンクシーケンスを送信することを含み、前記トリガー条件は、
第４ネットワークデバイスが送信したダウンリンク信号を受信する受信電力は電力閾値より小さく、前記第４ネットワークデバイスは前記端末デバイスのサービスセルを制御し又は前記端末デバイスの滞在セルを制御することに用いられる条件と、
前記第４ネットワークデバイスのプリセット領域に位置する条件のうちの少なくとも１種を含むことを特徴とする請求項１〜７のいずれかに記載の通信方法。
【請求項９】
前記第１ダウンリンク基準信号は前記端末デバイスがアナログビームフォーミングするためのダウンリンク基準信号を含むことを特徴とする請求項１〜７のいずれかに記載の通信方法。
【請求項１０】
前記予め設定されたアップリンクシーケンスは具体的に、前記予め設定されたアップリンクシーケンスを伝送するリソース及び／又は前記予め設定されたアップリンクシーケンスのフォーマットによって、前記予め設定されたアップリンクシーケンスを受信したネットワークデバイスは前記第１ダウンリンク基準信号を送信するようにトリガーすること、及び／又は、前記予め設定されたアップリンクシーケンスを受信したネットワークデバイスが第２密度で前記第１ダウンリンク基準信号を送信するようにトリガーすることに用いられることを特徴とする請求項１〜９のいずれかに記載の通信方法。
【請求項１１】
通信方法であって、前記通信方法は、
第１ネットワークデバイスは端末デバイスが送信した予め設定されたアップリンクシーケンスを受信し、前記予め設定されたアップリンクシーケンスは、前記予め設定されたアップリンクシーケンスを受信したネットワークデバイスが第１ダウンリンク基準信号を送信することをトリガーすることに用いられること、及び
前記第１ネットワークデバイスは前記予め設定されたアップリンクシーケンスによって前記端末デバイスへ前記第１ダウンリンク基準信号を送信することを含むことを特徴とする通信方法。
【請求項１２】
前記通信方法は、
前記第１ネットワークデバイスは前記端末デバイスへダウンリンクメッセージを送信し、前記ダウンリンクメッセージは第１リソース情報及び／又は第１パラメータ情報を含み、前記第１リソース情報は前記第１ネットワークデバイスが前記第１ダウンリンク基準信号を送信するのに占用したリソースを指示することに用いられ、前記第１パラメータ情報は前記第１ネットワークデバイスが前記第１ダウンリンク基準信号を送信するのに占用したパラメータを指示することに用いられることを更に含み、
前記第１ネットワークデバイスが前記予め設定されたアップリンクシーケンスによって前記端末デバイスへ前記第１ダウンリンク基準信号を送信するのは、
前記第１ネットワークデバイスは前記第１リソース情報と前記第１パラメータ情報の中の少なくとも１種及び前記予め設定されたアップリンクシーケンスに基づき前記端末デバイスへ前記第１ダウンリンク基準信号を送信することを含むことを特徴とする請求項１１に記載の通信方法。
【請求項１３】
前記通信方法は、
前記第１ネットワークデバイスは第２リソース情報及び／又は第２パラメータ情報を取得することを更に含み、前記第２リソース情報は少なくとも１つの第２ネットワークデバイスにおける各第２ネットワークデバイスが前記第１ダウンリンク基準信号を送信するのに占用したリソースを指示することに用いられ、前記第２パラメータ情報は各第２ネットワークデバイスが前記第１ダウンリンク基準信号を送信するパラメータを指示することに用いられ、前記ダウンリンクメッセージは前記第２リソース情報及び／又は前記第２パラメータ情報を更に含むことを特徴とする請求項１２に記載の通信方法。
【請求項１４】
前記ダウンリンクメッセージは前記端末デバイスを指示するための指示情報を含み、アイドル状態にある前記端末デバイスが前記指示情報によって、前記ダウンリンクメッセージが前記端末デバイスに属することを確定することに用いられることを特徴とする請求項１２又は１３に記載の通信方法。
【請求項１５】
前記指示情報は前記予め設定されたアップリンクシーケンス又は前記予め設定されたアップリンクシーケンスのインデックスを含むことを特徴とする請求項１４に記載の通信方法。
【請求項１６】
前記通信方法は、
前記第１ネットワークデバイスは前記端末デバイスが送信した前記端末デバイスの位置を指示するための位置情報を受信し、前記指示情報は前記位置情報を含むこと、及び／又は
前記第１ネットワークデバイスは前記端末デバイスが送信した前記端末デバイスを識別するための識別情報を受信し、前記指示情報は前記識別情報を含むことを更に含むことを特徴とする請求項１４又は１５に記載の通信方法。
【請求項１７】
前記第１ネットワークデバイスが前記予め設定されたアップリンクシーケンスによって前記端末デバイスへ前記第１ダウンリンク基準信号を送信するのは、前記第１ネットワークデバイスは前記端末デバイスの位置情報を取得すること、及び
前記第１ネットワークデバイスは前記予め設定されたアップリンクシーケンス及び前記端末デバイスの位置情報によって前記端末デバイスへ前記第１ダウンリンク基準信号を送信することを確定する時に、前記予め設定されたアップリンクシーケンスによって前記端末デバイスへ前記第１ダウンリンク基準信号を送信することを含むことを特徴とする請求項１１〜１６のいずれか前記の方法。
【請求項１８】
前記第１ネットワークデバイスが前記端末デバイスの位置情報を取得するのは、
前記第１ネットワークデバイスは複数の第３ネットワークデバイスにおける各第３ネットワークデバイスが前記予め設定されたアップリンクシーケンスを受信する受信時刻及び／又は複数の第４ネットワークデバイスにおける各第４ネットワークデバイスが前記予め設定されたアップリンクシーケンスを受信する経路損失を取得すること、及び
前記第１ネットワークデバイスは各第３ネットワークデバイスが前記予め設定されたアップリンクシーケンスを受信する受信時刻及び／又は各第４ネットワークデバイスが前記予め設定されたアップリンクシーケンスを受信する経路損失に基づき、前記端末デバイスの位置情報を確定することを含むことを特徴とする請求項１７に記載の方法。
【請求項１９】
前記第１ネットワークデバイスは前記予め設定されたアップリンクシーケンスを受信する前に、前記通信方法は、
前記第１ネットワークデバイスが第１密度で前記第１ダウンリンク基準信号を送信することを更に含み、
前記予め設定されたアップリンクシーケンスは具体的に、前記予め設定されたアップリンクシーケンスを受信したネットワークデバイスが第２密度で前記第１ダウンリンク基準信号を送信することをトリガーすることに用いられ、前記第１ネットワークデバイスが前記予め設定されたアップリンクシーケンスによって前記端末デバイスへ前記第１ダウンリンク基準信号を送信するのは、
前記第１ネットワークデバイスが前記予め設定されたアップリンクシーケンスによって第２密度で前記第１ダウンリンク基準信号を送信することを含み、前記第２密度は前記第１密度より大きいことを特徴とする請求項１１〜１８のいずれかに記載の通信方法。
【請求項２０】
前記第１ダウンリンク基準信号はダウンリンク公共基準信号を含み、又は
前記第１ダウンリンク基準信号は前記端末デバイスがアナログビームフォーミングするためのダウンリンク基準信号を含むことを特徴とする請求項１１〜１９のいずれかに記載の通信方法。
【請求項２１】
前記第１ネットワークデバイスが前記予め設定されたアップリンクシーケンスによって前記端末デバイスへ前記第１ダウンリンク基準信号を送信する前に、前記方法は、
前記第１ネットワークデバイスは前記予め設定されたアップリンクシーケンスを伝送するリソース及び／又は前記アップリンクシーケンスのフォーマットに基づき、前記端末デバイスへ送信したダウンリンク基準信号は前記第１ダウンリンク基準信号であることを確定し、及び／又は第２密度で前記第１ダウンリンク基準信号を送信することを確定することを更に含むことを特徴とする請求項１１〜２０のいずれかに記載の通信方法。
【請求項２２】
通信装置であって、前記通信装置は端末デバイスであり、前記通信装置は、
予め設定されたアップリンクシーケンスを送信することに用いられ、前記予め設定されたアップリンクシーケンスは前記予め設定されたアップリンクシーケンスを受信したネットワークデバイスが第１ダウンリンク基準信号を送信することをトリガーすることに用いられる送信モジュール、及び
少なくとも１つの第１ネットワークデバイスが前記予め設定されたアップリンクシーケンスによって送信した前記第１ダウンリンク基準信号を受信するための受信モジュール、を備えることを特徴とする通信装置。
【請求項２３】
前記受信モジュールは更に、第２ネットワークデバイスが送信したダウンリンクメッセージを受信し、前記ダウンリンクメッセージはリソース情報及び／又はパラメータ情報を含み、前記リソース情報は前記少なくとも１つの第１ネットワークデバイスにおける各第１ネットワークデバイスが前記第１ダウンリンク基準信号を送信するのに占用したリソースを指示することに用いられ、前記パラメータ情報は各第１ネットワークデバイスが前記第１ダウンリンク基準信号を送信するパラメータを指示することに用いられ、
前記受信モジュールは具体的に、前記リソース情報及び／又はパラメータ情報によって前記少なくとも１つの第１ネットワークデバイスが送信した前記第１ダウンリンク基準信号を受信することに用いられることを特徴とする請求項２２に記載の通信装置。
【請求項２４】
前記ダウンリンクメッセージは前記端末デバイスを指示するための指示情報を更に含み、アイドル状態にある前記端末デバイスが前記指示情報によって前記ダウンリンクメッセージが前記端末デバイスに属することを確定することに用いられることを特徴とする請求項２３に記載の通信装置。
【請求項２５】
前記指示情報は前記予め設定されたアップリンクシーケンス又は前記予め設定されたアップリンクシーケンスのインデックスを含むことを特徴とする請求項２４に記載の通信装置。
【請求項２６】
前記送信モジュールは更に、
前記端末デバイス位置を指示するための位置情報を送信し、前記指示情報が前記位置情報を含むこと、及び／又は
前記端末デバイスを識別するための識別情報を送信し、前記指示情報が前記識別情報を含むことに用いられることを特徴とする請求項２４又は２５に記載の通信装置。
【請求項２７】
前記送信モジュールは更に、前記端末デバイス位置を指示するための位置情報を送信し、前記予め設定されたアップリンクシーケンスを受信したネットワークデバイスが前記位置情報によって前記第１ダウンリンク基準信号を送信するかどうかを確定することに用いられることを特徴とする請求項２２〜２５のいずれかに記載の通信装置。
【請求項２８】
前記受信モジュールは更に、少なくとも１つの第３ネットワークデバイスが第１密度で送信した前記第１ダウンリンク基準信号を受信することに用いられ、
前記予め設定されたアップリンクシーケンスは具体的に、前記予め設定されたアップリンクシーケンスを受信したネットワークデバイスは第２密度で前記第１ダウンリンク基準信号を送信するようにトリガーすることに用いられ、
前記受信モジュールは具体的に、前記少なくとも１つの第１ネットワークデバイスが前記予め設定されたアップリンクシーケンスによって第２密度で送信した前記第１ダウンリンク基準信号を受信することに用いられ、前記第２密度は前記第１密度より大きいことを特徴とする請求項２２〜２７のいずれかに記載の通信装置。
【請求項２９】
前記送信モジュールは具体的に、トリガー条件を満たす時、前記予め設定されたアップリンクシーケンスを受信したネットワークデバイスはダウンリンク公共基準信号を送信するようにトリガーするための前記予め設定されたアップリンクシーケンスを送信することに用いられ、前記トリガー条件は、
前記受信モジュールが第４ネットワークデバイスが送信したダウンリンク信号を受信する受信電力は電力閾値より小さく、前記第４ネットワークデバイスは前記端末デバイスのサービスセルを制御し又は前記端末デバイスの滞在セルを制御することに用いられる条件、及び
前記通信装置は前記第４ネットワークデバイスのプリセット領域に位置する条件のうちの少なくとも１種を含むことを特徴とする請求項２２〜２８のいずれかに記載の通信装置。
【請求項３０】
前記第１ダウンリンク基準信号は前記端末デバイスがアナログビームフォーミングするためのダウンリンク基準信号を含むことを特徴とする請求項２２〜２８のいずれかに記載の通信装置。
【請求項３１】
前記予め設定されたアップリンクシーケンスは具体的に、前記予め設定されたアップリンクシーケンスを伝送するリソース及び／又は前記予め設定されたアップリンクシーケンスのフォーマットによって、前記予め設定されたアップリンクシーケンスを受信したネットワークデバイスは前記第１ダウンリンク基準信号を送信するようにトリガーし、及び／又は、前記予め設定されたアップリンクシーケンスを受信したネットワークデバイスは第２密度で前記第１ダウンリンク基準信号を送信するようにトリガーすることに用いられることを特徴とする請求項２２〜３０のいずれかに記載の通信装置。
【請求項３２】
通信装置であって、前記通信装置は第１ネットワークデバイスであり、前記通信装置は、
端末デバイスが送信した予め設定されたアップリンクシーケンスを受信し、前記予め設定されたアップリンクシーケンスは前記予め設定されたアップリンクシーケンスを受信したネットワークデバイスが第１ダウンリンク基準信号を送信することをトリガーすることに用いられる受信モジュール、及び
前記予め設定されたアップリンクシーケンスによって前記端末デバイスへ前記第１ダウンリンク基準信号を送信するための送信モジュールを備えることを特徴とする通信装置。
【請求項３３】
前記送信モジュールは更に、前記端末デバイスへダウンリンクメッセージを送信することに用いられ、前記ダウンリンクメッセージは第１リソース情報及び／又は第１パラメータ情報を含み、前記第１リソース情報は前記第１ネットワークデバイスが前記第１ダウンリンク基準信号を送信するのに占用したリソースを指示することに用いられ、前記第１パラメータ情報は前記第１ネットワークデバイスが前記第１ダウンリンク基準信号を送信するのに占用したパラメータを指示することに用いられ、
前記送信モジュールは具体的に、前記第１リソース情報、前記第１パラメータ情報の中の少なくとも１種及び前記予め設定されたアップリンクシーケンスに基づき、前記端末デバイスへ前記第１ダウンリンク基準信号を送信することを特徴とする請求項３２に記載の通信装置。
【請求項３４】
前記通信装置は、
第２リソース情報及び／又は第２パラメータ情報を取得するための第１処理モジュールを更に含み、前記第２リソース情報は少なくとも１つの第２ネットワークデバイスにおける各第２ネットワークデバイスが前記第１ダウンリンク基準信号を送信するのに占用したリソースを指示することに用いられ、前記第２パラメータ情報は各第２ネットワークデバイスが前記第１ダウンリンク基準信号を送信するパラメータを指示することに用いられ、前記ダウンリンクメッセージは前記第２リソース情報及び／又は前記第２パラメータ情報を更に含むことを特徴とする請求項３３に記載の通信装置。
【請求項３５】
前記ダウンリンクメッセージは前記端末デバイスを指示するための指示情報を含み、アイドル状態にある前記端末デバイスが前記指示情報によって前記ダウンリンクメッセージが前記端末デバイスに属することを確定することに用いられることを特徴とする請求項３３又は３４に記載の通信装置。
【請求項３６】
前記指示情報は前記予め設定されたアップリンクシーケンス又は前記予め設定されたアップリンクシーケンスのインデックスを含むことを特徴とする請求項３５に記載の通信装置。
【請求項３７】
前記受信モジュールは更に、
前記端末デバイスが送信した前記端末デバイス位置を指示するための位置情報を受信し、前記指示情報が前記位置情報を含むこと、及び／又は
前記端末デバイスが送信した前記端末デバイスを識別するための識別情報を受信し、前記指示情報が前記識別情報を含むことに用いられることを特徴とする請求項３５又は３６に記載の通信装置。
【請求項３８】
前記通信装置は、
前記端末デバイスの位置情報を取得するための第２処理モジュールを更に含み、
前記送信モジュールは具体的に、前記第２処理モジュールは前記端末デバイスの位置情報によって前記端末デバイスへ前記第１ダウンリンク基準信号を送信することを確定する時、前記予め設定されたアップリンクシーケンスによって前記端末デバイスへ前記第１ダウンリンク基準信号を送信することに用いられることを特徴とする請求項３２〜３７のいずれかに記載の通信装置。
【請求項３９】
前記第２処理モジュールは具体的に、
複数の第３ネットワークデバイスにおける各第３ネットワークデバイスは前記予め設定されたアップリンクシーケンスを受信する受信時刻及び／又は複数の第４ネットワークデバイスにおける各第４ネットワークデバイスは前記予め設定されたアップリンクシーケンスを受信する経路損失を取得すること、
各第３ネットワークデバイスは前記予め設定されたアップリンクシーケンスを受信する受信時刻及び／又は各第４ネットワークデバイスは前記予め設定されたアップリンクシーケンスを受信する経路損失に基づき、前記端末デバイスの位置情報を確定することに用いられることを特徴とする請求項３８に記載の通信装置。
【請求項４０】
前記受信モジュールは前記予め設定されたアップリンクシーケンスを受信する前に、  前記送信モジュールは更に、第１密度で前記第１ダウンリンク基準信号を送信することに用いられ、
前記予め設定されたアップリンクシーケンスは具体的に、前記予め設定されたアップリンクシーケンスを受信したネットワークデバイスが第２密度で前記第１ダウンリンク基準信号を送信することをトリガーすることに用いられ、
前記送信モジュールは具体的に、前記予め設定されたアップリンクシーケンスによって第２密度で前記第１ダウンリンク基準信号を送信することに用いられ、前記第２密度は前記第１密度より大きいことを特徴とする請求項３２〜３９のいずれかに記載の通信装置。
【請求項４１】
前記第１ダウンリンク基準信号はダウンリンク公共基準信号を含み、又は
前記第１ダウンリンク基準信号は前記端末デバイスがアナログビームフォーミングするためのダウンリンク基準信号を含むことを特徴とする請求項３２〜４０のいずれかに記載の通信装置。
【請求項４２】
前記通信装置は、
前記予め設定されたアップリンクシーケンスを伝送するリソース及び／又は前記予め設定されたアップリンクシーケンスのフォーマットに基づき、前記端末デバイスへ送信したダウンリンク基準信号は前記第１ダウンリンク基準信号であることを確定し、及び／又は第２密度で前記第１ダウンリンク基準信号を送信することを確定するための第３処理モジュールを更に含むことを特徴とする請求項３２〜４１のいずれかに記載の通信装置。
【発明の詳細な説明】
【技術分野】
【０００１】
本発明は、通信分野に関し、且つより具体的に、通信方法及び通信装置に関する。
【背景技術】
【０００２】
通信システムにおいて、基準信号（Ｒｅｆｅｒｅｎｃｅ  Ｓｉｇｎａｌ、ＲＳ）は送信側により送信した１組の既知信号であり、受信側がチャネル推定等の操作を行うことに用いられる。従来の長期的な進化（Ｌｏｎｇ  Ｔｅｒｍ  Ｅｖｏｌｕｔｉｏｎ、ＬＴＥ）システムにおいて多種のダウンリンク基準信号、例えば、セル特定基準信号（Ｃｅｌｌ−ｓｐｅｃｉｆｉｃ  Ｒｅｆｅｒｅｎｃｅ  Ｓｉｇｎａｌ、ＣＲＳ）とチャネル状態情報基準信号  （Ｃｈａｎｎｅｌ  Ｓｔａｔｅ  Ｉｎｆｏｒｍａｔｉｏｎ−  Ｒｅｆｅｒｅｎｃｅ  Ｓｉｇｎａｌ、  ＣＳＩ−ＲＳ）等を含む。従来のダウンリンク基準信号は一定の規則に従って（例えば一定の周期で）システム帯域幅全体で送信し、端末デバイスが前記ダウンリンク基準信号に基づきチャネル状况を推定することに用いられる。このダウンリンク基準信号の伝送方法は大量のダウンリンク基準信号の無意味な伝送をもたらし、リソースの無駄を引き起こしてしまう。このため、ダウンリンク基準信号の無意味な伝送を減少するように、新たなダウンリンク基準信号の伝送方法を設計する必要がある。
【発明の概要】
【０００３】
本発明は、ダウンリンク基準信号の無意味な伝送を減少して、リソース使用率を向上させる通信方法及び通信装置を提供する。
【０００４】
第１態様において、通信方法を提供し、前記通信方法は、端末デバイスは予め設定されたアップリンクシーケンスを送信し、前記予め設定されたアップリンクシーケンスは前記予め設定されたアップリンクシーケンスを受信したネットワークデバイスが第１ダウンリンク基準信号を送信することをトリガーすることに用いられること、及び前記端末デバイスは少なくとも１つの第１ネットワークデバイスが前記予め設定されたアップリンクシーケンスによって送信した前記第１ダウンリンク基準信号を受信することを含む。
【０００５】
従来技術において端末デバイスは一定の規則に従って（例えば一定の周期で）複数のネットワークデバイスが送信したダウンリンク基準信号を受信することに比べて、端末デバイスは自己の需要に応じて、アップリンクシーケンスを送信することができ、端末デバイスは必要な場合に少なくとも１つの第１ネットワークデバイスが送信した第１ダウンリンク基準信号を受信できるようにして、無意味な基準信号の受信を減少して、リソースの無駄を減少して、リソース使用率を向上させることができる。更に、端末デバイスは送信周期を待つ必要なくて自己の必要な場合にアップリンクシーケンスを送信することができ、端末デバイスは該第１ダウンリンク基準信号をタイムリーに取得して且つ関連操作を行うことができるようにして、端末デバイスの操作の効率を向上させる。
【０００６】
選択的に、第１態様の可能な実現形態において、端末デバイスが予め設定されたアップリンクシーケンスを送信することは、接続状態にある前記端末デバイスは前記端末デバイスのサービスセルのネットワークデバイスに前記予め設定されたアップリンクシーケンスを送信すること、又はアイドル状態にある前記端末デバイスは前記端末デバイスの滞在セルのネットワークデバイスに前記予め設定されたアップリンクシーケンスを送信することを含んでもよい。
【０００７】
選択的に、第１態様の可能な実現形態において、前記予め設定されたアップリンクシーケンスは、ネットワークデバイスの既知のアップリンクシーケンス（又は複数のネットワークデバイスの既知のアップリンクシーケンス）である。
該技術的解決手段において、該予め設定されたアップリンクシーケンスは複数のネットワークデバイスの既知のアップリンクシーケンスであり、これにより複数のネットワークデバイスにおけるいずれかのネットワークデバイスはすべて該予め設定されたアップリンクシーケンスを識別し、これにより相応の操作を行うことができ、該技術的解決手段は良い互換性及びスケーラビリティを有する。
【０００８】
選択的に、第１態様の可能な実現形態において、前記予め設定されたアップリンクシーケンスはランダムアクセスチャネルＰＲＡＣＨのプリアンブルシーケンスコードｐｒｅａｍｂｌｅを含み、前記ｐｒｅａｍｂｌｅは前記ネットワークデバイスが前記第１ダウンリンク基準信号を送信することをトリガーすることに用いられ、及び／又は、前記ネットワークデバイスが第１密度で前記第１ダウンリンク基準信号を送信することをトリガーすることに用いられる。
【０００９】
選択的に、第１態様の可能な実現形態において、前記端末デバイスはシーケンスグループから前記ｐｒｅａｍｂｌｅを取得する。
【００１０】
選択的に、第１態様の可能な実現形態において、前記予め設定されたアップリンクシーケンスはアップリンク検出基準信号ＳＲＳ又はアップリンクスケジューリング要求ＳＲを含む。
【００１１】
第１態様の可能な実現形態において、前記通信方法は、前記端末デバイスは第２ネットワークデバイスが送信したダウンリンクメッセージを受信し、前記ダウンリンクメッセージはリソース情報及び／又はパラメータ情報を含み、前記リソース情報は前記少なくとも１つの第１ネットワークデバイスにおける各第１ネットワークデバイスが前記第１ダウンリンク基準信号を送信するのに占用したリソースを指示することに用いられ、前記パラメータ情報は各第１ネットワークデバイスが前記第１ダウンリンク基準信号を送信するパラメータを指示することに用いられることを更に含み、前記端末デバイスは少なくとも１つの第１ネットワークデバイスが前記予め設定されたアップリンクシーケンスによって送信した前記第１ダウンリンク基準信号を受信することは、前記端末デバイスは前記リソース情報及び／又はパラメータ情報によって、前記少なくとも１つの第１ネットワークデバイスが送信した前記第１ダウンリンク基準信号を受信することを含む。
【００１２】
該技術的解決手段において、端末デバイスはダウンリンクメッセージを受信して、且つ前記ダウンリンクメッセージにおけるリソース情報及び／又はパラメータ情報によって第１ダウンリンク基準信号を受信することができ、端末デバイスの第１ダウンリンク基準信号を受信する効率を向上させることができる。更に、該技術的解決手段の柔軟性が高くて、端末デバイスは前記ダウンリンクメッセージを受信することによって、各第１ネットワークデバイスが第１ダウンリンク基準信号を送信するのに占用したリソース及び／又は使用のパラメータをタイムリーに正確的に取得することができ、該方法は良い互換性及びスケーラビリティを有する。
【００１３】
第１態様の可能な実現形態において、前記通信方法は、前記端末デバイスは前記端末デバイスの位置を指示するための位置情報を送信し、前記予め設定されたアップリンクシーケンスを受信したネットワークデバイスが前記位置情報によって前記第１ダウンリンク基準信号を送信するかどうかを確定することに用いられることを更に含む。
【００１４】
第１態様の可能な実現形態において、前記ダウンリンクメッセージは前記端末デバイスを指示するための指示情報を更に含み、アイドル状態にある前記端末デバイスは前記指示情報によって前記ダウンリンクメッセージが前記端末デバイスに属することを確定するようにする。
【００１５】
該技術的解決手段において、アイドル状態の該端末デバイスは指示情報によって前記端末デバイスに属するダウンリンクメッセージを識別することができ、言い換えると、端末デバイスはダウンリンクメッセージにおける指示情報によって、前記ダウンリンクメッセージが前記予め設定されたアップリンクシーケンスに応答することに用いることを確定し、該技術的解決手段は高い互換性を有する。
【００１６】
第１態様の可能な実現形態において、前記指示情報は前記予め設定されたアップリンクシーケンス、又は前記予め設定されたアップリンクシーケンスのインデックスを含む。
【００１７】
第１態様の可能な実現形態において、前記通信方法は、前記端末デバイスは前記端末デバイスの位置を指示するための位置情報を送信し、前記指示情報は前記位置情報を含むこと、又は前記端末デバイスは前記端末デバイスを識別するための識別情報を送信し、前記指示情報は前記識別情報を含むことを更に含む。
該技術的解決手段において、前記端末デバイスは位置情報及び／又は識別情報を送信することができ、前記ダウンリンクメッセージは相応的に位置情報及び／又は識別情報を含むことができ、端末デバイスは前記ダウンリンクメッセージを受信した後、前記ダウンリンクメッセージが前記予め設定されたアップリンクシーケンスに応答することに用いることを確定することができる。更に、前記端末デバイスが前記位置情報を送信する時、該位置情報を受信したネットワークデバイスは前記端末デバイスの位置によって該第１ダウンリンク基準信号を送信するかどうかを確定することができる。
【００１８】
選択的に、第１態様の可能な実現形態において、前記ダウンリンクメッセージは前記予め設定されたアップリンクシーケンス、前記予め設定されたアップリンクシーケンスのインデックス、前記位置情報及び前記識別情報の中の少なくとも１種を含む。
【００１９】
選択的に、第１態様の可能な実現形態において、端末デバイスが前記端末デバイスの位置を指示するための位置情報及び／又は前記端末デバイスを識別するための識別情報を送信することは、前記端末デバイスはアップリンクメッセージを送信し、前記アップリンクメッセージは前記位置情報及び／又は前記識別情報を含む。
【００２０】
該技術的解決手段において、端末デバイスは単一のメッセージによって位置情報及び／又は前記識別情報を送信することができ、シグナリングのオーバーヘッドを減少できる。
【００２１】
選択的に、第１態様の可能な実現形態において、前記端末デバイスがアップリンクメッセージを送信するのは、前記端末デバイスは時間領域オフセット量及び／又は周波数領域オフセット量に基づき前記アップリンクメッセージを送信し、前記時間領域オフセット量は前記予め設定されたアップリンクシーケンスと前記アップリンクメッセージの占用した時間領域リソースのオフセット量を含み、前記周波数領域オフセット量は前記予め設定されたアップリンクシーケンスと前記アップリンクメッセージの占用した周波数領域リソースのオフセット量を含むことを含む。
【００２２】
該技術的解決手段において、端末デバイスは時間領域オフセット量及び／又は周波数領域オフセット量に従って前記アップリンクメッセージを送信することができ、前記予め設定されたアップリンクシーケンスの占用したリソースとアップリンクメッセージの占用したリソースを対応関係を持たせ、これにより前記予め設定されたアップリンクシーケンスを受信したネットワークデバイスは、該予め設定されたアップリンクシーケンスを受信した後に、対応するリソースで同じ端末デバイスが送信したアップリンクメッセージを受信することができる。
【００２３】
第１態様の可能な実現形態において、前記端末デバイスは予め設定されたアップリンクシーケンスを送信する前に、前記通信方法は、前記端末デバイスは少なくとも１つの第３ネットワークデバイスが第１密度で送信した前記第１ダウンリンク基準信号を受信することを更に含み、前記予め設定されたアップリンクシーケンスは具体的に、前記予め設定されたアップリンクシーケンスを受信したネットワークデバイスが第２密度で前記第１ダウンリンク基準信号を送信するようにトリガーすることに用いられ、前記端末デバイスは少なくとも１つの第１ネットワークデバイスが前記予め設定されたアップリンクシーケンスによって送信した前記第１ダウンリンク基準信号を受信するのは、前記端末デバイスは少なくとも１つの第１ネットワークデバイスが前記予め設定されたアップリンクシーケンスによって第２密度で送信した前記第１ダウンリンク基準信号を受信することを含み、前記第２密度は前記第１密度より大きい。
【００２４】
該技術的解決手段において、端末デバイスはまずスパース第１ダウンリンク基準信号を受信し、端末デバイスが必要とする時、該予め設定されたアップリンクシーケンスを送信することによって密集な前記第１ダウンリンク基準信号を受信することができ、システムリソースを節約して、リソース使用率を向上させることができる。同時に、該技術的解決手段において、端末デバイスは周期長を待つ必要がなく、必要な場合にはアップリンクシーケンスを送信することによってタイムリーに密集な第１ダウンリンク基準信号を取得することができる。
【００２５】
第１態様の可能な実現形態において、前記端末デバイスはトリガー条件を満たす時、前記予め設定されたアップリンクシーケンスを受信したネットワークデバイスがダウンリンク公共基準信号を送信するようにトリガーするための前記予め設定されたアップリンクシーケンスを送信する。前記トリガー条件は、第４ネットワークデバイスが送信したダウンリンク信号を受信する受信電力は電力閾値より小さく、第４ネットワークデバイスは前記端末デバイスのサービスセルを制御することに用いられ又は前記端末デバイスの滞在セルを制御することに用いられる条件と、前記第４ネットワークデバイスのプリセット領域に位置する条件のうちの少なくとも１種を含む。
【００２６】
端末デバイスはある条件又は場合でダウンリンク公共基準信号をトリガーするための予め設定されたアップリンクシーケンスを送信することができ、ダウンリンク公共基準信号の占用したシステムリソースを減少することができる。
【００２７】
選択的に、第１態様の可能な実現形態において、前記トリガー条件は、モビリティ管理測定を行おうとする条件を更に含む。
【００２８】
第１態様の可能な実現形態において、前記第１ダウンリンク基準信号は前記端末デバイスがアナログビームフォーミングするためのダウンリンク基準信号を含む。
【００２９】
該技術的解決手段において、端末デバイスはアナログビームフォーミングする必要がある時、アップリンクシーケンスを送信することによって、アナログビームフォーミングするためのダウンリンク基準信号を取得でき、該技術的解決手段の柔軟性は高い。
【００３０】
第１態様の可能な実現形態において、前記予め設定されたアップリンクシーケンスは具体的に、前記予め設定されたアップリンクシーケンスを伝送するリソース及び／又は前記予め設定されたアップリンクシーケンスのフォーマットによって、前記予め設定されたアップリンクシーケンスを受信したネットワークデバイスが前記第１ダウンリンク基準信号を送信するようにトリガーし、及び／又は、前記予め設定されたアップリンクシーケンスを受信したネットワークデバイスが第２密度で前記第１ダウンリンク基準信号を送信するようにトリガーすることに用いられる。
【００３１】
該技術的解決手段において、端末デバイスはアップリンクシーケンスの占用したリソース及び／又はアップリンクシーケンスの具体的なフォーマットによって、前記予め設定されたアップリンクシーケンスがトリガーする内容を指示することができ、該方法の柔軟性は高く、良い互換性及びスケーラビリティを有する。
【００３２】
第２態様において、通信方法を提供し、該通信方法は、第１ネットワークデバイスは端末デバイスが送信した予め設定されたアップリンクシーケンスを受信し、前記予め設定されたアップリンクシーケンスは前記予め設定されたアップリンクシーケンスを受信したネットワークデバイスが第１ダウンリンク基準信号を送信することをトリガーすることに用いられること、及び前記第１ネットワークデバイスは前記予め設定されたアップリンクシーケンスによって前記端末デバイスに前記第１ダウンリンク基準信号を送信することを含む。
【００３３】
該技術的解決手段において、該第１ネットワークデバイスは端末デバイスの需要に応じて、前記第１ダウンリンク基準信号を送信することができ、第１ダウンリンク基準信号の無意味な送信を減少して、リソースの無駄を低下させ、リソース使用率を向上させることができる。更に、該第１ネットワークデバイスは端末デバイスが必要とする時、タイムリーに前記端末デバイスに前記第１ダウンリンク基準信号を送信することができる。
【００３４】
選択的に、第２態様の可能な実現形態において、前記予め設定されたアップリンクシーケンスはランダムアクセスチャネルＰＲＡＣＨのプリアンブルシーケンスコードｐｒｅａｍｂｌｅを含み、前記ｐｒｅａｍｂｌｅは前記ネットワークデバイスが前記第１ダウンリンク基準信号を送信することをトリガーすることに用いられ、及び／又は、は前記ネットワークデバイスが第１密度で前記第１ダウンリンク基準信号を送信することをトリガーすることに用いられる。
【００３５】
選択的に、第２態様の可能な実現形態において、前記予め設定されたアップリンクシーケンスはアップリンク検出基準信号ＳＲＳ又はアップリンクスケジューリング要求ＳＲを含む。
【００３６】
選択的に、第２態様の可能な実現形態において、前記第１ネットワークデバイスは前記端末デバイスのサービスセルを制御することに用いられ、又は前記端末デバイスの滞在セルを制御することに用いられる。
【００３７】
第２態様の可能な実現形態において、前記通信方法は、前記第１ネットワークデバイスは前記端末デバイスにダウンリンクメッセージを送信し、前記ダウンリンクメッセージは第１リソース情報及び／又は第１パラメータ情報を含み、前記第１リソース情報は前記第１ネットワークデバイスが前記第１ダウンリンク基準信号を送信するのに占用したリソースを指示することに用いられ、前記第１パラメータ情報は前記第１ネットワークデバイスが前記第１ダウンリンク基準信号を送信するのに占用したパラメータを指示することに用いられることを更に含み、前記第１ネットワークデバイスが前記予め設定されたアップリンクシーケンスによって前記端末デバイスに前記第１ダウンリンク基準信号を送信するのは、前記第１ネットワークデバイスは前記第１リソース情報と前記第１パラメータ情報の中の少なくとも１種及び前記予め設定されたアップリンクシーケンスに基づき前記端末デバイスに前記第１ダウンリンク基準信号を送信することを含む。
【００３８】
第２態様の可能な実現形態において、前記通信方法は、前記第１ネットワークデバイスは第２リソース情報及び／又は第２パラメータ情報を取得することを更に含み、前記第２リソース情報は少なくとも１つの第２ネットワークデバイスにおける各第２ネットワークデバイスが前記第１ダウンリンク基準信号を送信するのに占用したリソースを指示することに用いられ、前記第２パラメータ情報は各第２ネットワークデバイスが前記第１ダウンリンク基準信号を送信するパラメータを指示することに用いられ、前記ダウンリンクメッセージは前記第２リソース情報及び／又は前記第２パラメータ情報を更に含む。
【００３９】
該技術的解決手段において、第１ネットワークデバイスは第１ネットワークデバイスのダウンリンク基準信号を送信する関連情報と少なくとも１つの第２ネットワークデバイスがダウンリンク基準信号を送信する関連情報を一緒に送信でき、送信効率を向上させ、端末デバイスが情報を欠落する概率を低下させることができる。
【００４０】
選択的に、第２態様の可能な実現形態において、前記第１ネットワークデバイスは前記端末デバイスに前記予め設定されたアップリンクシーケンスのダウンリンクメッセージを送信するのは、前記第１ネットワークデバイスと前記少なくとも１つの第２ネットワークデバイスとは前記端末デバイスの位置情報、及び／又は、前記第１ネットワークデバイスの負荷量及び前記少なくとも１つの第２ネットワークデバイスの負荷量に基づき、前記端末デバイスに前記ダウンリンクメッセージを送信するネットワークデバイスが前記第１ネットワークデバイスであるのを確定する時に、前記第１ネットワークデバイスは前記端末デバイスに前記ダウンリンクメッセージを送信する。
【００４１】
該技術的解決手段において、前記第１ネットワークデバイスは前記少なくとも１つの第２ネットワークデバイスとネゴシエーションして、好ましいネットワークデバイスを確定して前記端末デバイスへ前記ダウンリンクメッセージを送信することができる。
【００４２】
第２態様の可能な実現形態において、前記ダウンリンクメッセージは前記端末デバイスを指示するための指示情報を含み、アイドル状態にある前記端末デバイスが前記指示情報によって、前記ダウンリンクメッセージが前記端末デバイスに属することを確定することに用いられる。
【００４３】
該技術的解決手段において、指示情報の指示によって、本手段は端末デバイスの多種状態を兼ねることができ、該技術的解決手段の互換性及びスケーラビリティを向上させる。
【００４４】
第２態様の可能な実現形態において、前記指示情報は前記予め設定されたアップリンクシーケンス又は前記予め設定されたアップリンクシーケンスのインデックスを含む。
【００４５】
該技術的解決手段において、ダウンリンクメッセージは前記予め設定されたアップリンクシーケンスを含んでもよく、端末デバイスは前記予め設定されたアップリンクシーケンスによって、前記ダウンリンクメッセージが前記予め設定されたアップリンクシーケンスに応答することに用いることを確定するようにすることができる。
【００４６】
第２態様の可能な実現形態において、前記通信方法は、前記通信方法は、前記第１ネットワークデバイスは前記端末デバイスが送信した前記端末デバイスの位置を指示するための位置情報を受信し、前記指示情報は前記位置情報を含むこと、及び／又は前記第１ネットワークデバイスは前記端末デバイスが送信した前記端末デバイスを識別するための識別情報を受信し、前記指示情報は前記識別情報を含むことを更に含む。
【００４７】
該技術的解決手段において、第１ネットワークデバイスは受信端末デバイスが送信した情報に基づき、端末デバイスに相応するダウンリンクメッセージを送信し、端末デバイスは前記ダウンリンクメッセージを受信した後、前記ダウンリンクメッセージが前記予め設定されたアップリンクシーケンスに応答することに用いられることを確定することができる。
【００４８】
選択的に、第２態様の可能な実現形態において、前記第１ネットワークデバイスは前記端末デバイスが送信した前記端末デバイスの位置を指示するための位置情報及び／又は前記端末デバイスを識別するための識別情報を受信するのは、前記第１ネットワークデバイスは前記端末デバイスが送信したアップリンクメッセージを受信し、前記アップリンクメッセージは前記位置情報及び／又は前記識別情報を含むことを含む。
【００４９】
該技術的解決手段において、第１ネットワークデバイスは単一のメッセージを受信することによって位置情報及び／又は前記識別情報を取得し、シグナリングのオーバーヘッドを減少できる。
【００５０】
選択的に、第２態様の可能な実現形態において、前記第１ネットワークデバイスは前記端末デバイスが送信したアップリンクメッセージを受信するのは、前記第１ネットワークデバイスは時間領域オフセット量及び／又は周波数領域オフセット量に基づき前記端末デバイスが送信したアップリンクメッセージを受信することを含み、前記時間領域オフセット量は前記予め設定されたアップリンクシーケンスと前記アップリンクメッセージの占用した時間領域リソースのオフセット量を含み、前記周波数領域オフセット量は前記予め設定されたアップリンクシーケンスと前記アップリンクメッセージの占用した周波数領域リソースのオフセット量を含む。
【００５１】
該技術的解決手段において、前記予め設定されたアップリンクシーケンスの占用したリソースと前記アップリンクメッセージの占用したリソースとは対応関係を有し、前記第１ネットワークデバイスは前記予め設定されたアップリンクシーケンスを受信した後に対応するリソースで前記第２情報を受信することができる。
【００５２】
選択的に、第２態様の可能な実現形態において、前記方法は、前記第１ネットワークデバイスは前記端末デバイスの位置情報を取得することを更に含み、前記第１ネットワークデバイスが前記予め設定されたアップリンクシーケンスによって前記端末デバイスに前記第１ダウンリンク基準信号を送信するのは、前記第１ネットワークデバイスはビームフォーミングによって前記端末デバイスに前記第１ダウンリンク基準信号を送信することを含む。
【００５３】
該技術的解決手段において、第１ネットワークデバイスは前記端末デバイスの位置情報を取得することによって空間分割多重化を実現することができ、スペクトル使用率を向上させる。
【００５４】
第２態様の可能な実現形態において、前記通信方法は、前記第１ネットワークデバイスは前記端末デバイスの位置情報を取得すること、及び前記第１ネットワークデバイスは前記端末デバイスの位置情報によって前記端末デバイスへ前記第１ダウンリンク基準信号を送信することを確定する時に、前記予め設定されたアップリンクシーケンスによって前記端末デバイスへ前記第１ダウンリンク基準信号を送信することを更に含む。
【００５５】
前記第１ネットワークデバイスは端末デバイスの位置情報に基づき、前記端末デバイスへ前記第１ダウンリンク基準信号を送信するか否かを確定することができ、第１ダウンリンク基準信号の無意味な送信を更に避けることができる。
第２態様の可能な実現形態において、前記第１ネットワークデバイスが前記端末デバイスの位置情報を取得するのは、前記第１ネットワークデバイスは複数の第３ネットワークデバイスにおける各第３ネットワークデバイスが前記予め設定されたアップリンクシーケンスを受信する受信時刻及び／又は複数の第４ネットワークデバイスにおける各第４ネットワークデバイスが前記予め設定されたアップリンクシーケンスを受信する経路損失を取得すること、及び前記第１ネットワークデバイスは各第３ネットワークデバイスが前記予め設定されたアップリンクシーケンスを受信する受信時刻及び／又は各第４ネットワークデバイスが前記予め設定されたアップリンクシーケンスを受信する経路損失に基づき、前記端末デバイスの位置情報を確定することを含む。
【００５６】
該技術的解決手段において、第１ネットワークデバイスは複数の第３ネットワークデバイスとの間に情報をインタラクションすることによって前記端末デバイスの位置情報を確定することができ、該技術的解決手段は操作が簡単であり実現しやすく、良い互換性及びスケーラビリティを有する。
【００５７】
第２態様の可能な実現形態において、前記第１ネットワークデバイスは前記予め設定されたアップリンクシーケンスを受信する前に、前記通信方法は、前記第１ネットワークデバイスが第１密度で前記第１ダウンリンク基準信号を送信することを更に含み、前記予め設定されたアップリンクシーケンスは具体的に、前記予め設定されたアップリンクシーケンスを受信したネットワークデバイスは第２密度で前記第１ダウンリンク基準信号を送信することをトリガーすることに用いられ、前記第１ネットワークデバイスが前記予め設定されたアップリンクシーケンスによって前記端末デバイスへ前記第１ダウンリンク基準信号を送信するのは、前記第１ネットワークデバイスが前記予め設定されたアップリンクシーケンスによって第２密度で前記第１ダウンリンク基準信号を送信することを含み、前記第２密度は前記第１密度より大きい。
【００５８】
該技術的解決手段において、第１ネットワークデバイスはまずスパース第１ダウンリンク基準信号を送信することができ、端末デバイスは該スパース第１ダウンリンク基準信号に基づきより粗いチャネル推定を行うようにし、第１ネットワークデバイスは前記予め設定されたアップリンクシーケンスを受信した後に更に密集な第１ダウンリンク基準信号を送信し、端末デバイスは該密集な第１ダウンリンク基準信号に基づき正確的な操作を行うようにする。該技術的解決手段は第１ダウンリンク基準信号の占用したシステムリソースを減少して、リソース使用率を向上させることができる。
【００５９】
第２態様の可能な実現形態において、前記第１ダウンリンク基準信号はダウンリンク公共基準信号を含み、又は前記第１ダウンリンク基準信号は前記端末デバイスがアナログビームフォーミングするためのダウンリンク基準信号を含む。
【００６０】
該技術的解決手段において、第１ネットワークデバイスは端末の必要に応じて、端末デバイスへ対応する第１ダウンリンク基準信号を送信することができ、無意味なダウンリンク基準信号の送信を低下させることができる。
【００６１】
第２態様の可能な実現形態において、前記第１ネットワークデバイスが前記予め設定されたアップリンクシーケンスによって前記端末デバイスへ前記第１ダウンリンク基準信号を送信する前に、前記方法は、前記第１ネットワークデバイスは前記予め設定されたアップリンクシーケンスを伝送するリソース及び／又は前記アップリンクシーケンスのフォーマットに基づき、前記端末デバイスへ送信したダウンリンク基準信号は前記第１ダウンリンク基準信号であることを確定し、及び／又は第２密度で前記第１ダウンリンク基準信号を送信することを確定することを更に含む。
【００６２】
該技術的解決手段において、第１ネットワークデバイスは前記予め設定されたアップリンクシーケンスが占用したリソース及び／又はアップリンクシーケンスのフォーマットによって、前記予め設定されたアップリンクシーケンスがトリガーした内容を確定することができ、該方法の柔軟性は高く、良い互換性及びスケーラビリティを有する。
【００６３】
第３態様において、通信装置を提供し、前記通信装置は端末デバイスであり、前記通信装置は上記の第１態様又は第１態様の任意の選択可能な実現方式における通信方法を実行することに用いられる。具体的に、該通信装置は上記の第１態様又は第１態様の任意の可能な実現方式における通信方法を実行するためのモジュール及び／又はユニットを含む。
【００６４】
第４態様において、通信装置を提供し、前記通信装置は第１ネットワークデバイスであり、前記通信装置は上記の第２態様又は第２態様の任意の選択可能な実現方式における通信方法を実行することに用いられる。具体的に、該通信装置は上記の第２態様又は第２態様の任意の可能な実現方式における通信方法を実行するためのモジュール及び／又はユニットを含む。
【００６５】
第５態様において、通信デバイスを提供し、前記通信デバイスは端末デバイスであり、前記通信デバイスは、信号／情報を送受信するためのトランシーバ、命令を記憶するためのメモリ及び該メモリに記憶される命令を実行するためのプロセッサーを備え、該プロセッサーは該メモリに記憶される命令を実行する時、該実行によって該プロセッサーに第１態様又は第１態様の任意の選択可能な実現方式における通信方法を実行させる。
【００６６】
第６態様において、通信デバイスを提供し、前記通信デバイスは第１ネットワークデバイスであり、前記通信デバイスは、信号／情報を送受信するためのトランシーバ、命令を記憶するためのメモリ及び該メモリに記憶される命令を実行するためのプロセッサーを備え、該プロセッサーは該メモリに記憶される命令を実行する時、該実行によって該プロセッサーに第２態様又は第２態様の任意の選択可能な実現方式における通信方法を実行させる。
【００６７】
第７態様において、コンピュータ記憶媒体を提供し、該コンピュータ記憶媒体にプログラムコードが記憶され、該プログラムコードは上記第１態様又は第１態様の任意の選択可能な実現方式における通信方法を実行することを指示することに用いられる。
【００６８】
第８態様において、コンピュータ記憶媒体を提供し、該コンピュータ記憶媒体にプログラムコードが記憶され、該プログラムコードは上記第２態様又は第２態様の任意の選択可能な実現方式における通信方法を実行することを指示することに用いられる。
【図面の簡単な説明】
【００６９】
本発明の実施例の技術的解決手段をより明確的に説明するために、以下、本発明の実施例に使用する必要がある図面を簡単に説明し、明らかに、以下で説明する図面は本発明のある実施例だけであり、当業者にとって、創造的な労力を払わない前提で、更にこれらの図面に基づいてその他の図面を取得することができる。
【００７０】
【図１】図１は本発明の一実施例による通信方法を示す模式的なフローチャートである。
【図２】図２本発明の他の実施例による通信方法を示す模式的なフローチャートである。
【図３】図３は本発明の一実施例による通信装置を示す模式的なブロック図である。
【図４】図４は本発明の他の実施例による通信装置を示す模式的なブロック図である。
【図５】図５は本発明の一実施例による通信デバイスを示す模式的なブロック図である。
【図６】図６は本発明の他の実施例による通信デバイスを示す模式的なブロック図である。
【発明を実施するための形態】
【００７１】
以下、本発明の実施例における図面を参照して、本発明の実施例における技術的解決手段を明確且つ完全に説明し、明らかに説明された実施例は全部の実施例ではなく、本発明の一部の実施例だけである。本発明における実施例に基づいて、当業者は創造的な労働なしに得られたすべての他の実施例は、いずれも本発明が保護する範囲に属する。
【００７２】
本発明の実施例による技術的解決手段は、無線セルラーネットワークの各種の通信システム、例えば、グローバル移動通信（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、コード分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、ブロードバンドコード分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）システム、ＬＴＥシステム、汎用移動通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、将来の５Ｇ通信システム等に応用されることができ、本発明の実施例は制限しない。
【００７３】
本発明の実施例において、端末デバイスは様々な実施例を説明し、端末デバイス（Ｕｓｅｒ  Ｅｑｕｉｐｍｅｎｔ、ＵＥ）は端末（Ｔｅｒｍｉｎａｌ）、移動台（Ｍｏｂｉｌｅ  Ｓｔａｔｉｏｎ、ＭＳ）、移動端末（Ｍｏｂｉｌｅ  Ｔｅｒｍｉｎａｌ）等と呼ばれることができ、該端末デバイスは無線アクセスネットワーク（Ｒａｄｉｏ  Ａｃｃｅｓｓ  Ｎｅｔｗｏｒｋ、ＲＡＮ）によって１つ又は複数のコアネットワークと通信することができ、例えば、端末デバイスは移動電話（又は「セルラー」電話と呼ばれる）、移動端末を有するコンピュータ等であってもよく、例えば、端末デバイスは更にポータブル、ポケット、ハンドヘルド、コンピュータに内蔵された又は車載した移動装置及び将来の５Ｇネットワークにおける端末デバイスであってもよく、それらは無線アクセスネットワークと音声及び／又はデータを交換する。
【００７４】
本発明の実施例において、ネットワークデバイスはセルのコントローラーであってもよく、ネットワークデバイスは対応するセルが情報又は信号を送受信することを制御することに用いられることができる。例えば、本発明の実施例におけるネットワークデバイスは基地局のアンテナに応答でき、基地局のＮ個のアンテナはＮ個のネットワークデバイスに一々対応し、Ｎ個のネットワークデバイスはＮ個のセルを一つ一つに制御する。
【００７５】
本発明の実施例において、基地局は長期的な進化（Ｌｏｎｇ  Ｔｅｒｍ  Ｅｖｏｌｕｔｉｏｎ、ＬＴＥ）システム又はその進化システム又は将来５Ｇネットワークシステムにおける進化型基地局（Ｅｖｏｌｕｔｉｏｎａｌ  Ｎｏｄｅ  Ｂ、ｅＮＢ又はｅ−ＮｏｄｅＢと略称できる）、マクロ基地局、マイクロ基地局（「小型基地局」とも呼ばれる）、ピコ基地局、アクセスポイント（Ａｃｃｅｓｓ  Ｐｏｉｎｔ、ＡＰ）又は伝送ポイント（Ｔｒａｎｓｍｉｓｓｉｏｎ  Ｐｏｉｎｔ、ＴＰ）等であってもよく、本発明はこれを制限しない。
【００７６】
以下、具体的な例を組み合わせて本発明の実施例を詳細的に説明する。理解すべきなのは、これらの例は当業者に本発明の実施例をより良く理解させることを助けるためのものだけであり、本発明の実施例の範囲を制限するものではない。
更に理解すべきなのは、本発明の実施例において、番号「第１」、「第２」「第３」等のネットワークデバイスは異なる操作を実行するネットワークデバイスを区別することに用いられる。該第１ネットワークデバイス、第２ネットワークデバイス及び第３ネットワークデバイス等が同じネットワークデバイスであるか否かは、実際の場合に応じて具体的に判断する必要がある。
【００７７】
更に理解すべきなのは、本発明の実施例における少なくとも１つは１つ又は複数を含む。
【００７８】
以下、図１及び図２を参照して本実施例の信号を送信する通信方法を詳細的に説明する。
【００７９】
図１は本発明の一実施例による通信方法を示す模式的なフローチャートである。図１は通信方法１００のステップ又は操作を示したが、これらのステップ又は操作は例だけであり、本発明の実施例は他の操作又は図１の各操作の変形を実行してもよく、なお、図１における各ステップは図１に示されたものと異なる順序で実行されることができ、且つ必ずしも図１における全ての操作を実行しない。該通信方法１００は以下のステップＳ１１０〜Ｓ１２０を含んでもよい。
図１は本発明の一実施例による通信方法を示す模式的なフローチャートである。図１に示すように、該通信方法１００は、
端末デバイスは予め設定されたアップリンクシーケンスを送信し、前記予め設定されたアップリンクシーケンスは前記予め設定されたアップリンクシーケンスを受信したネットワークデバイスが第１ダウンリンク基準信号を送信することをトリガーすることに用いられるＳ１１０、及び
前記端末デバイスは少なくとも１つの第１ネットワークデバイスが前記予め設定されたアップリンクシーケンスによって送信した前記第１ダウンリンク基準信号を受信するＳ１２０を含んでもよい。
【００８０】
このため、本発明の実施例において、端末デバイスは自分の需要（例えばサービス、測定又は訓練等の需要）に応じて、アップリンクシーケンスを送信することができ、該端末デバイスは少なくとも１つの第１ネットワークデバイスが送信した第１ダウンリンク基準信号を受信するようにし、無意味なダウンリンク基準信号の受信を減少することができ、これによりリソースの無駄を減少して、リソース使用率を向上させる。更に、端末デバイスは必要とする場合にアップリンクシーケンスを送信することができ、端末デバイスは該第１ダウンリンク基準信号をタイムリーに取得して且つ関連操作を行うようにする。
【００８１】
理解すべきなのは、本発明の実施例における該予め設定されたアップリンクシーケンスを受信したネットワークデバイスは、該予め設定されたアップリンクシーケンスを検出（又は識別）できるネットワークデバイスとして理解されることができる。
更に理解すべきなのは、アップリンクシーケンスを受信した後に前記端末デバイスへ第１ダウンリンク基準信号を送信したネットワークデバイスは第１ネットワークデバイスと呼ばれる。
【００８２】
簡潔にするために、「前記予め設定されたアップリンクシーケンスは前記予め設定されたアップリンクシーケンスを受信したネットワークデバイスが第１ダウンリンク基準信号を送信することをトリガーすることに用いられる」を「前記予め設定されたアップリンクシーケンスは第１ダウンリンク基準信号をトリガーすることに用いられる」と略称することができる。
【００８３】
なお、本発明の実施例において、ネットワークデバイスはダウンリンク基準信号を周期的に送信しなく、又はネットワークデバイスは時間領域及び／又は周波数領域の密度がスパースなダウンリンク基準信号を周期的に送信する（従来技術において、ネットワークデバイスは周期的に時間領域及び／又は周波数領域の密度が密集であるダウンリンク基準信号を送信する）。該スパースダウンリンク基準信号は、ネットワークデバイスが一定の大きさのリソースで少ないダウンリンク基準信号を送信すると理解されることができ、以降で詳しく説明する。
【００８４】
なお、予め設定されたアップリンクシーケンス（複数のネットワークデバイスの既知のアップリンクシーケンスとして理解されることができる）は、アップリンクシーケンスを伝送するリソース（例えば時間領域及び／又は周波数領域の位置）、及び／又は使用されたアップリンクシーケンスは複数のネットワークデバイスの既知の（該複数のネットワークデバイスの間に互いに通信できる）ものであるのを指してもよい。これはプロトコルによって事前に約束され又は複数のネットワークデバイスの間に協調して実現されることができる。例えば、該予め設定されたアップリンクシーケンスの占用したリソース（例えば時間領域及び／又は周波数領域の位置）、及び／又は使用されたアップリンクシーケンス（又はシーケンスグループ）は、複数のネットワークデバイスにおけるあるネットワークデバイスのダウンリンク放送チャネルによって放送されることができる。これに基づいて、該端末デバイスが予め設定されたアップリンクシーケンスを送信する送信方式は多種を含んでもよい。
【００８５】
例えば、端末デバイスは接続状態にある時、該複数のネットワークデバイスはサービスセルのネットワークデバイス（サービスセルのネットワークデバイスはサービスセルを制御することに用いられる）及びサービスセルの隣接するセルのネットワークデバイスを含んでもよい。端末デバイスは自分のサービスセルのネットワークデバイスへ該アップリンクシーケンスを送信することができ、該サービスセルの隣接するセルのネットワークデバイスは、前記予め設定されたアップリンクシーケンスを検出（又は受信）することもできる。
【００８６】
または、例えば、端末デバイスがアイドル状態にある時、該複数のネットワークデバイスは滞在セルのネットワークデバイス（滞在セルのネットワークデバイスが滞在セルを制御することに用いられる）と滞在セルの隣接セルのネットワークデバイスを含んでもよく、端末デバイスは自己の現在の滞在セルのネットワークデバイスへ前記予め設定されたアップリンクシーケンスを送信することができ、該滞在セルの隣接セルのネットワークデバイスは前記予め設定されたアップリンクシーケンスを検出することもできる。
【００８７】
更に例えば、端末デバイスは放送の方式で前記予め設定されたアップリンクシーケンスを送信することができ、これにより前記複数のネットワークデバイスは前記予め設定されたアップリンクシーケンスを検出することができる。
【００８８】
なお、端末デバイスがどのような方式で前記予め設定されたアップリンクシーケンスを送信しても、前記予め設定されたアップリンクシーケンスは複数のネットワークデバイスの既知のものであり、該複数のネットワークデバイスは前記予め設定されたアップリンクシーケンスを検出することができる。
【００８９】
このため、端末デバイスはネットワークデバイスＡへ第１ダウンリンク基準信号をトリガーするためのアップリンクシーケンスを送信し、前記端末デバイスは前記ネットワークデバイスＡが送信した前記第１ダウンリンク基準信号を受信することができるだけでなく、前記端末デバイスは更に前記ネットワークデバイスＡの隣接セルのネットワークデバイスが送信した前記第１ダウンリンク基準信号を受信することができ、後に詳しく説明する。
【００９０】
選択的に、本発明の実施例において、前記予め設定されたアップリンクシーケンスは前記端末デバイスが１つのシーケンスグループから選択されたものであってもよい。前記シーケンスグループはプロトコルで約束されたものであってもよく、あるネットワークデバイス（例えば、端末デバイスのサービスセルのネットワークデバイス又は滞在セルのネットワークデバイス）がダウンリンク放送チャネルによって端末デバイスに通知されたものであってもよい。前記シーケンスグループは標準における従来シーケンスグループであってもよく、これにより前記予め設定されたアップリンクシーケンスは従来シーケンスグループから選択された従来シーケンスである。例えば、物理ランダムアクセスチャネル（Ｐｈｙｓｉｃａｌ  Ｒａｎｄｏｍ  Ａｃｃｅｓｓ  Ｃｈａｎｎｅｌ、ＰＲＡＣＨ）のプリアンブル（ｐｒｅａｍｂｌｅ）である。前記シーケンスグループは更に専門的に定義されたシーケンスグループであってもよい。例えば、論理ルートシーケンス（ｌｏｇｉｃａｌ  ｉｎｄｅｘ  ＲＡＣＨ＿Ｒｏｏｔ＿ＳＥＱＵＥＮＣＥ、Ｚ−Ｃシーケンス）に基づき、現在ＰＲＡＣＨ  ｐｒｅａｍｂｌｅと異なる長さ又は異なるフェーズのシーケンスからなるシーケンスグループを取得する。
アップリンクシーケンスグループが従来シーケンスグループであり、これにより前記予め設定されたアップリンクシーケンスが従来シーケンスグループから選択された従来シーケンスである時、端末デバイスは多種の方式によって前記従来シーケンスを送信することができ、これによりアップリンクシーケンスを受信したネットワークデバイスは、前記従来シーケンスが第１ダウンリンク基準信号をトリガーすることに用いられるかどうかを確定する。
【００９１】
選択可能な一例として、端末デバイスは第１ダウンリンク基準信号をトリガーすることに用いられる従来シーケンスの対応するリソースで前記従来シーケンスを送信することができる。言い換えると、本発明の実施例において端末デバイスが前記従来シーケンスを送信するリソース（例えば時間領域及び／又は周波数領域の位置）は、従来技術において端末デバイスが前記従来シーケンスを送信するリソースと異なる。例えば、端末デバイスはランダムアクセスの時第１リソースでＰＲＡＣＨ  ｐｒｅａｍｂｌｅを送信し、端末デバイスは第１ダウンリンク基準信号をトリガーする時第２リソースで前記ＰＲＡＣＨ  ｐｒｅａｍｂｌｅを送信する。これによりアップリンクシーケンスを受信したネットワークデバイスは、前記従来シーケンスの占用したリソースに基づき、ランダムアクセスに用いるＰＲＡＣＨ  ｐｒｅａｍｂｌｅと第１ダウンリンク基準信号をトリガーするためのＰＲＡＣＨ  ｐｒｅａｍｂｌｅを区別することができる。
【００９２】
選択可能な他の例として、ネットワークデバイスＢ（又は複数のネットワークデバイス）は、前記第１ダウンリンク基準信号を専門的にトリガーするための従来シーケンスグループにおける幾つかの従来シーケンスを予め配置することができる。例えば、ネットワークデバイスは前記第１ダウンリンク基準信号を専門的にトリガーするためのＰＲＡＣＨ  ｐｒｅａｍｂｌｅにおけるＮ個のシーケンスを予め配置することができ、これによりアップリンクシーケンスを受信したネットワークデバイスは、第１ダウンリンク基準信号をトリガーするための従来シーケンスを識別することができる。
【００９３】
選択的に、本発明の実施例において、前記予め設定されたアップリンクシーケンスは予め設定されたアップリンク信号（アップリンク信号が１種のシーケンスである）を更に含んでもよく、前記予め設定されたアップリンク信号は標準における従来アップリンク信号、例えば、アップリンク検出基準信号（Ｓｏｕｎｄｉｎｇ  Ｒｅｆｅｒｅｎｃｅ  Ｓｉｇｎａｌ、ＳＲＳ）であってもよい。前記予め設定されたアップリンク信号は更にアップリンク物理制御チャネル（Ｐｈｙｓｉｃａｌ  Ｕｐｌｉｎｋ  Ｃｏｎｔｒｏｌ  ＣＨａｎｎｅｌ、ＰＵＣＣＨ）のある種類の信号、例えば、アップリンクスケジューリング要求（Ｓｃｈｅｄｕｌｉｎｇ  Ｒｅｑｕｅｓｔ、ＳＲ）であってもよい。端末デバイスは前記従来アップリンク信号を使用してネットワークデバイスが第１ダウンリンク基準信号を送信することをトリガーすると、以上に説明したものと類似的に、第１ダウンリンク基準信号をトリガーするための該従来アップリンク信号は従来技術の従来アップリンク信号のリソース及び／又はフォーマットと異なり、従来アップリンク信号を受信したネットワークデバイスは第１ダウンリンク基準信号をトリガーするための従来アップリンク信号を識別することができるようにする。
【００９４】
選択的に、本発明の実施例において、端末デバイスがアップリンクシーケンスを送信するリソース（例えば時間領域及び／又は周波数領域の位置）及び／又は使用された予め設定されたアップリンクシーケンス（又はシーケンスグループ）は、複数のネットワークデバイスの既知のものである。これはプロトコルによって事前に約束されるか又はネットワークデバイス間の協調によって実現されることができる。例えば、該アップリンクシーケンスの占用したリソース（例えば時間領域及び／又は周波数領域の位置）及び／又は使用された予め設定されたアップリンクシーケンス（又はシーケンスグループ）は、ネットワークデバイス（例えば、端末デバイスのサービスセルのネットワークデバイス）のダウンリンク放送チャネルによって放送されることができる。このため、端末デバイスは所定のリソースでネットワークデバイスＡへアップリンクシーケンスを送信する時、前記ネットワークデバイスＡの隣接セルは該アップリンクシーケンスを検出（又は受信）することができる。相応的に、前記ネットワークデバイスＡの隣接セルは該アップリンクシーケンスを検出（又は受信）し、前記端末デバイスへ前記第１ダウンリンク基準信号を送信してもよい。このため、端末デバイスはネットワークデバイスＡが送信した前記第１ダウンリンク基準信号を受信することができるだけでなく、前記ネットワークデバイスＢの隣接セルが送信した前記第１ダウンリンク基準信号を受信することができる。
【００９５】
選択的に、本発明の実施例において、前記端末デバイスはアップリンクシーケンスを送信した後、少なくとも１つの第１ネットワークデバイスが送信した前記第１ダウンリンク基準信号を受信する前に、前記端末デバイスは第２ネットワークデバイスが送信したダウンリンクメッセージを受信してもよく、前記ダウンリンクメッセージはリソース情報及び／又はパラメータ情報を含み、前記リソース情報は前記少なくとも１つの第１ネットワークデバイスにおける各第１ネットワークデバイスが前記第１ダウンリンク基準信号を送信するのに占用したリソースを指示することに用いられ、前記パラメータ情報は各第１ネットワークデバイスが前記第１ダウンリンク基準信号を送信するパラメータを指示することに用いられ、これにより端末デバイスはリソース情報及び／又はパラメータ情報に基づき前記少なくとも１つの第１ネットワークデバイスが送信した第１ダウンリンク基準信号を正確に受信することができる。
【００９６】
リソースは各第１ネットワークデバイスが第１ダウンリンク基準信号を送信するのに占用した伝送リソース（時間領域及び／又は周波数領域リソース）を指してもよく、パラメータは多種タイプの情報、例えば、用いられたシーケンス情報、直交カバーコード（Ｏｒｔｈｏｇｏｎａｌ  ｃｏｖｅｒ  ｃｏｄｅ）等を含んでもよい。更に例えば、前記パラメータは更に各第１ネットワークデバイスの送信しようとする前記第１ダウンリンク基準信号のシーケンス構成情報等を含んでもよい。
【００９７】
端末デバイスが接続状態にある時、前記第２ネットワークデバイスは前記端末デバイスのサービスセルのネットワークデバイスであってもよい。接続状態にある端末デバイスは前記予め設定されたアップリンクシーケンスを送信した後、サービスセルのネットワークデバイスが送信したダウンリンクメッセージを受信する。端末デバイスがアイドル状態にある時、前記第２ネットワークデバイスは前記少なくとも１つの第１ネットワークデバイスがネゴシエーションして確定された前記端末デバイスへダウンリンクメッセージを送信するネットワークデバイスであってもよく、本発明の他の実施例の通信方法２００において詳しく説明する。
【００９８】
なお、少なくとも１つの第１ネットワークデバイスは第２ネットワークデバイスを含んでもよいし、第２ネットワークデバイスを含まなくてもよく、本発明の実施例はこれを限定しない。
【００９９】
選択的に、本発明の実施例において、ダウンリンクメッセージはリソース情報及び／又はパラメータ情報を含む以外、更に他の情報を含んでもよい。
選択可能な他の例として、前記ダウンリンクメッセージは前記端末デバイスを指示するための指示情報を含んでもよく、アイドル状態にある前記端末デバイスが前記指示情報によって前記ダウンリンクメッセージが前記端末デバイスに属することを確定することに用いられる。
【０１００】
具体的に、端末デバイスがアイドル状態にある時、ネットワークデバイスが送信した第１ダウンリンクメッセージは指示情報を含む必要があり、これによりアイドル状態にある端末デバイスは該指示情報に基づき、該第１ダウンリンクメッセージが該端末デバイスに属することを確定することができる。該指示情報は多種タイプの情報を含んでもよい。
【０１０１】
例えば、該指示情報は該アップリンクシーケンス又は該アップリンクシーケンスのインデックスを含んでもよい。端末デバイスが第１ダウンリンクメッセージを受信した後、アップリンクシーケンス又はアップリンクシーケンスのインデックスに基づき、該第１ダウンリンクメッセージが該端末デバイスに属することを確定することができる。
【０１０２】
更に例えば、端末デバイスはアップリンクシーケンスを送信する時、アップリンクシーケンスに伴って端末デバイス位置を指示するための位置情報及び／又は端末デバイスを識別するための識別情報を送信することができる。
【０１０３】
端末デバイスは位置情報を送信する時、該第１ダウンリンクメッセージは該位置情報を含んでもよい。端末デバイスは第１ダウンリンクメッセージを受信した後、位置情報に基づき該第１ダウンリンクメッセージが該端末デバイスに属することを確定することができる。
【０１０４】
端末デバイスは識別情報を送信する時、該第１ダウンリンクメッセージは識別情報を含んでもよい。端末デバイスは第１ダウンリンクメッセージを受信した後、識別に基づき該第１ダウンリンクメッセージが該端末デバイスに属することを確定することができる。
【０１０５】
言い換えると、該第１ダウンリンクメッセージはアップリンクシーケンス、該アップリンクシーケンスのインデックス、該位置情報及び識別情報の中の少なくとも１種を含んでもよく、これによりアイドル状態にある端末デバイスは該第１ダウンリンクメッセージが該端末デバイスに属することを確定する。
【０１０６】
以上の説明に基づいて、前記ダウンリンクメッセージはリソース情報を含む以外前記パラメータ情報、前記予め設定されたアップリンクシーケンス、識別情報及び位置情報の中の少なくとも１種を含んでもよい。前記端末デバイスは前記予め設定されたアップリンクシーケンス、識別情報及び位置情報の中の任意の１種によって、前記ダウンリンクメッセージが前記端末デバイスのアップリンクシーケンスに応答することに用いられるを確定することができる。
【０１０７】
選択的に、本発明の実施例において、端末デバイスがアップリンクシーケンスを送信する時、アップリンクシーケンスに伴ってアップリンクメッセージを送信することができ、該アップリンクメッセージは端末デバイスの位置情報及び／又は識別情報を含む。即ち端末デバイスが位置情報及び／又は識別情報することは、前記端末デバイスはアップリンクメッセージを送信し、該アップリンクメッセージは該実際の位置情報及び／又は識別情報を含むことを含んでもよい。
【０１０８】
該技術的解決手段において、端末デバイスが単一のメッセージによって該実際の位置情報及び／又は前記識別情報を送信することができ、シグナリングのオーバーヘッドを減少できる。
【０１０９】
なお、前記端末デバイスが接続状態にある時、前記ダウンリンクメッセージが前記予め設定されたアップリンクシーケンス、識別情報及び位置情報の中の任意の１種を含まなくても、前記端末デバイスが前記端末デバイスのアップリンクシーケンスに応答するためのダウンリンクメッセージを確定することができる。このため、選択的に、本発明の実施例において、接続状態にある端末デバイスは前記位置情報及び／又は前記識別情報を送信しなくてもよく、相応的に前記ダウンリンクメッセージは前記予め設定されたアップリンクシーケンス、予め設定されたアップリンクシーケンスのインデックス、識別情報又は位置情報を含まなくても良い。
【０１１０】
選択的に、本発明の実施例において、前記通信方法は、前記端末デバイスは前記端末デバイスの位置を指示するための位置情報を送信し、これにより前記予め設定されたアップリンクシーケンスを受信したネットワークデバイスは前記位置情報によって前記第１ダウンリンク基準信号を送信するかどうかを確定することを更に含む。
【０１１１】
具体的に、端末デバイスの送信した位置情報は前記端末デバイスを指示することに用いられるだけではなく、該位置情報は更に該予め設定されたアップリンクシーケンスを受信したネットワークデバイスが該位置情報に基づき該第１ダウンリンク基準信号を送信するかどうかを確定することに用いられることができる。
【０１１２】
選択的に、本発明の実施例において、該端末デバイスは時間領域オフセット量及び／又は周波数領域オフセット量に基づきアップリンクメッセージを送信し、前記アップリンクメッセージは前記位置情報及び／又は識別情報を含み、前記時間領域オフセット量は前記予め設定されたアップリンクシーケンスと前記アップリンクメッセージの占用した時間領域リソースのオフセット量を含み、前記周波数領域オフセット量は前記予め設定されたアップリンクシーケンスと前記アップリンクメッセージの占用した周波数領域リソースのオフセット量を含む。
【０１１３】
具体的に、端末デバイスが前記予め設定されたアップリンクシーケンスを送信するリソースと端末デバイスが前記位置情報及び／又は前記識別情報を送信するリソースは対応な関係を有し、これによりネットワークデバイスは対応するリソースで同一の端末デバイスが送信した前記位置情報及び前記識別情報の中の少なくとも１種及び前記予め設定されたアップリンクシーケンスを受信することができる。
【０１１４】
なお、端末デバイスは多種の方式によって前記時間領域オフセット量及び／又は周波数領域オフセット量を取得することができる。例えば、前記端末デバイスは前記時間領域オフセット量及び／又は周波数領域オフセット量を確定し、前記予め設定されたアップリンクシーケンスには上記時間領域オフセット量及び／又は周波数領域オフセット量を指示するための情報が含まれることができ、これにより前記予め設定されたアップリンクシーケンスを受信したネットワークデバイスは時間領域オフセット量及び／又は周波数領域オフセット量に基づき、前記位置情報及び／又は識別情報を受信することができる。
【０１１５】
更に例えば、前記端末デバイスと複数のネットワークデバイスは前記時間領域オフセット量及び／又は周波数領域オフセット量を予め約束する。更に例えば、ネットワークデバイスＢは放送の方式によって前記時間領域オフセット量及び／又は周波数領域オフセット量を前記端末デバイスに設定する。同様に、前記ネットワークデバイスＢの隣接セルも前記時間領域オフセット量及び／又は周波数領域オフセット量に基づき、対応するリソースで同一の端末デバイスが送信した前記位置情報及び前記識別情報の中の少なくとも１種及び前記予め設定されたアップリンクシーケンスを受信する。
従来技術において、ネットワークデバイスは密集なあるダウンリンク基準信号（例えばＣＲＳ又はＣＳＩ−ＲＳ）を周期的に送信し、これにより端末デバイスは相応の操作を行う。この通信方法によって第１ネットワークデバイスが大量の無意味なダウンリンク基準信号を送信し、リソースの無駄を引き起こしてしまう。無意味なダウンリンク基準信号の送信を減少するために、端末デバイスは必要な場合にはネットワークデバイスが相応的なダウンリンク基準信号を送信することをトリガーすることができる。端末デバイスはネットワークデバイスが第１ダウンリンク基準信号を送信することをトリガーする場合は少なくとも以下の２種を含んでもよい。
【０１１６】
（一）
一選択可能な実施例として、端末デバイスはまず少なくとも１つの第３ネットワークデバイスが低密度（例えば第１密度）で送信された第１ダウンリンク基準信号を受信することができ、前記端末デバイスは該低密度の第１ダウンリンク基準信号に基づき荒い操作を行うことができる。前記端末デバイスが必要とする時、端末デバイスはアップリンクシーケンスを送信することによって、少なくとも１つの第１ネットワークデバイスが高密度（例えば第２密度）で送信された前記第１ダウンリンク基準信号を受信することができ、前記端末デバイスは該高密度の第１ダウンリンク基準信号に基づき、正確的なチャネル推定等の操作を行うことができる。
【０１１７】
例えば、前記端末デバイスが該予め設定されたアップリンクシーケンスを送信する前に、前記通信方法は、前記端末デバイスは少なくとも１つの第３ネットワークデバイスが第１密度で送信した前記第１ダウンリンク基準信号を受信することを更に含み、前記予め設定されたアップリンクシーケンスは具体的に、前記ネットワークデバイスが第２密度で前記第１ダウンリンク基準信号を送信することをトリガーすることに用いられ、前記端末デバイスは少なくとも１つの第１ネットワークデバイスが前記予め設定されたアップリンクシーケンスによって送信した前記第１ダウンリンク基準信号を受信することは、前記端末デバイスは前記少なくとも１つの第１ネットワークデバイスが第２密度で送信した前記第１ダウンリンク基準信号を受信し、前記第２密度は前記第１密度より大きいことを含む。
【０１１８】
理解すべきなのは、ネットワークデバイスは第１密度で該端末デバイスへ該第１ダウンリンク基準信号を送信することは、ネットワークデバイスが一定の大きさのリソースで少ない第１ダウンリンク基準信号を送信し、即ちスパースな第１ダウンリンク基準信号を送信すると理解されることができ、ネットワークデバイスは第２密度で該端末デバイスへ該第１ダウンリンク基準信号を送信することは、第１ネットワークデバイスが一定の大きさのリソースで多い第１ダウンリンク基準信号を送信し、即ち密集な第１ダウンリンク基準信号を送信すると理解することができる。
【０１１９】
なお、該第２密度は予め約束されたものであってもよく、ネットワークデバイスで設定されたものであってもよく、更にアップリンクシーケンスに該第２密度を指示するための指示情報が含まれるものであってもよく、本発明はこれを限定しない。
【０１２０】
なお、少なくとも１つの第３ネットワークデバイスと少なくとも１つの第１ネットワークデバイスは同じネットワークデバイスを含んでも良いし、同じネットワークデバイスを含まなくても良く、本発明はこれを限定しない。
【０１２１】
このため、端末デバイスはまずスパース第１ダウンリンク基準信号を受信することができ、アップリンクシーケンスを送信した後更に密集な第１ダウンリンク基準信号を受信し、リソースの無駄を減少し、リソースの使用率を向上できると同時に、該技術的解決手段において端末デバイスは第１ダウンリンク基準信号の送信周期を待つ必要がなくて、必要な場合にはアップリンクシーケンスを送信することによって、前記密集な第１ダウンリンク基準信号をタイムリーに取得することができる。
【０１２２】
（二）
他の選択可能な実施例として、第１ダウンリンク基準信号の占用したリソースを更に減少するために、将来の通信システムにおいて、ネットワークデバイスは第１ダウンリンク基準信号を周期的に送信しなくてもよく、端末デバイスは自身の需要に基づき、前記予め設定されたアップリンクシーケンスを受信したネットワークデバイスが第１ダウンリンク基準信号を送信することをトリガーすることに用いられる予め設定されたアップリンクシーケンスを送信することができる。該通信方法はネットワークデバイスが該第１ダウンリンク基準信号を送信することに占用したリソースを更に減少することができ、且つ端末デバイスの需要をタイムリーに満たすことができる。
【０１２３】
例えば、端末デバイスは第１ダウンリンク基準信号を周期的に受信する必要がなくて、端末デバイスは自己の必要な場合には第１ダウンリンク基準信号をトリガーするための予め設定されたアップリンクシーケンスを送信することによって、少なくとも１つの第１ネットワークデバイスが送信した前記第１ダウンリンク基準信号を受信することができる。
【０１２４】
選択的に、本発明の実施例において、前記第１ダウンリンク基準信号はダウンリンク公共基準信号を含んでもよく、前記端末デバイスはトリガー条件を満たす時、前記ネットワークデバイスがダウンリンク公共基準信号を送信することをトリガーすることに用いられるアップリンクシーケンスを送信することができ、前記トリガー条件は以下の条件の少なくとも１種を含む。
【０１２５】
条件１、
第４ネットワークデバイスが送信したダウンリンク信号を受信する受信電力は電力閾値より小さく、第４ネットワークデバイスは前記端末デバイスのサービスセルを制御することに用いられ又は前記端末デバイスの滞在セルを制御することに用いられる。
具体的に、前記端末デバイスは該第４ネットワークデバイスが送信したダウンリンク信号を測定することができ、ダウンリンク信号の強度が電力閾値よりも小さいと、該端末デバイスは前記予め設定されたアップリンクシーケンスを送信することができる。例えば、該端末デバイスの受信した該第４ネットワークデバイスが送信したダウンリンク信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）が電力閾値（該端末デバイスが該第１ネットワークデバイスの辺縁に位置することを説明することができる）よりも小さいと、前記端末デバイスは前記ネットワークデバイスがダウンリンク公共基準信号を送信することをトリガーするためのアップリンクシーケンスを送信することができる。
【０１２６】
なお、条件１において前記第４ネットワークデバイスが送信したダウンリンク信号を受信する受信電力が電力閾値よりも小さいことは、前記第４ネットワークデバイスが第１密度で送信したダウンリンク公共基準信号を受信する受信電力は電力閾値よりも小さいことを含んでもよい。言い換えると、端末デバイスは複数の第３ネットワークデバイスが第１密度で送信した前記第１ダウンリンク基準信号を受信することができると、前記端末デバイスは前記第４ネットワークデバイスが第１密度で送信したダウンリンク公共基準信号を検出することができ、該第４ネットワークが第１密度で送信したダウンリンク公共基準信号を受信する受信電力は電力閾値よりも小さいと、端末デバイスは前記ダウンリンク公共基準信号をトリガーするためのアップリンクシーケンスを送信することができ、これにより端末デバイスは少なくとも１つの第１ネットワークデバイスが第２密度で送信した前記ダウンリンク公共基準信号を受信することができる。
【０１２７】
条件２、前記第４ネットワークデバイスのプリセット領域に位置する条件。
【０１２８】
具体的に、該プリセット領域は第４ネットワークデバイスが予め該端末デバイスに設定した領域であってもよく、該プリセット領域は幾つかの位置座標で構成されることができる。例えば、該端末デバイスの座標はＡ＜ｘ＜Ｂ、Ｃ＜ｙ＜Ｄを満たす時、該端末デバイスは該プリセット領域に位置する。（ｘ、ｙ）は端末デバイスの座標であり、ＡとＢは横座標の範囲であり、ＣとＤは縦座標の範囲である。該位置領域はある数学的関係を満たす地理位置領域から構成されてもよい。例えば、該端末デバイスの座標はＥ＜（ｘ−ｘ０）２＋（ｙ−ｙ０）２＜Ｆを満たす時、該端末デバイスは該プリセット領域に位置する。（ｘ０、ｙ０）は第１ネットワークデバイスの座標であり、ＥとＦは距離閾値を表し、該プリセット領域は第４ネットワークデバイスの周囲の環状領域である。前記端末デバイスは前記プリセット領域に位置する時、前記ダウンリンク公共基準信号をトリガーするためのアップリンクシーケンスを送信する。
【０１２９】
選択的に、本発明の実施例において、第４ネットワークデバイスは多種の方式によって前記プリセット領域を前記端末デバイスに設定することができる。例えば、前記端末デバイスがアイドル状態にある時、第４ネットワークデバイスは前記プリセット領域を前記端末デバイスに放送することができ、更に例えば、前記端末デバイスが接続状態にある時、第４ネットワークデバイスは放送の方式だけでなく、専用的なシグナリングによって前記プリセット領域を前記端末デバイスに設定することができる。
【０１３０】
５Ｇにおいて、ネットワークデバイスはアナログビームフォーミング（Ａｎａｌｏｇ  Ｂｅａｍ  Ｆｏｒｍｉｎｇ、ＡＢＦ）をサポートすることができる。端末はアナログビームフォーミングをサポートするために、ネットワークデバイスが端末デバイスのトレーニング（ｔｒａｉｎｉｎｇ）用の特定なダウンリンク基準信号（この特定なダウンリンク基準信号を模擬基準信号と略称）を送信する必要がある。端末デバイスは自身のアナログビームフォーミングを行う必要に基づき、ネットワークデバイスが該ダウンリンク模擬基準信号を送信することをトリガーするためのアップリンクシーケンスを送信することができる。
【０１３１】
選択的に、本発明の実施例において、前記端末デバイスは自己のトレーニング需要に基づき、ネットワークデバイスが前記端末デバイスのアナログビームフォーミング用のダウンリンク基準信号を送信することをトリガーするためのを送信することができる。言い換えると、前記第１基準信号は前記端末デバイスがアナログビームフォーミングするためのダウンリンク基準信号を含んでもよい。
【０１３２】
選択的に、本発明の実施例において、前記予め設定されたアップリンクシーケンスは具体的に、前記予め設定されたアップリンクシーケンスのリソース及び／又は前記予め設定されたアップリンクシーケンスに含まれる予め設定されたアップリンクシーケンスを伝送することによって、前記ネットワークデバイスが前記第１ダウンリンク基準信号を送信することをトリガーし、及び／又は、前記ネットワークデバイスが第２密度で前記第１ダウンリンク基準信号を送信することをトリガーすることに用いられる。
【０１３３】
例えば、ネットワークデバイスは予め約束又は配置されてもよく、第１リソースが伝送した予め設定されたアップリンクシーケンスは、ネットワークデバイスがダウンリンク公共基準信号を送信することをトリガーすることに用いられ、第２リソースが伝送した予め設定されたアップリンクシーケンスは、ネットワークデバイスが模擬基準信号を送信することをトリガーすることに用いられ、第３リソースが伝送した予め設定されたアップリンクシーケンスは、ネットワークデバイスが第２密度で現在のダウンリンク基準信号を送信することをトリガーすることに用いられる。端末デバイスは自己の需要に基づき対応するリソースでアップリンクシーケンスを送信することができ、これにより該予め設定されたアップリンクシーケンスを受信したネットワークデバイスは該予め設定されたアップリンクシーケンスを伝送するリソースに基づき、どのようなダウンリンク基準信号を送信するか及び／又はどのような方式でダウンリンク基準信号を送信するかを確定することができる。
【０１３４】
更に例えば、予め約束又は設定されることができ、予め設定された第１アップリンクシーケンスはネットワークデバイスがダウンリンク公共基準信号を送信することをトリガーすることに用いられ、予め設定された第２アップリンクシーケンスはネットワークデバイスが模擬基準信号を送信することをトリガーすることに用いられ、予め設定された第３アップリンクシーケンスはネットワークデバイスが第２密度で現在のダウンリンク基準信号を送信することをトリガーすることに用いられる。端末デバイスは自己の需要に基づき相応的な予め設定されたアップリンクシーケンスを送信することができ、これによりネットワークデバイスは該予め設定されたアップリンクシーケンスに基づき、どのようなダウンリンク基準信号を送信するか及び／又はどのような方式でダウンリンク基準信号を送信するかを確定する。
【０１３５】
以上、本発明の一実施例に基づく通信方法を説明しており、端末デバイスは第１ダウンリンク基準信号をトリガーするためのアップリンクシーケンスを送信して、少なくとも１つの第１ネットワークデバイスが送信した前記第１ダウンリンク基準信号を受信することができる。以下、本発明の他の実施例に基づく通信方法を説明する。
【０１３６】
図２は本発明の他の実施例による通信方法２００の模式的なフローチャートである。図２は通信方法２００のステップ又は操作を示したが、これらのステップ又は操作は単に例示であり、本発明の実施例は更に他の操作又は図２の各操作の変形を実行することができ、なお、図２における各ステップは図２に示した順序と異なる順序に従って実行することができ、且つ図２におけるすべての操作を必ず実行するわけではない可能性がある。該通信方法２００は以下のステップＳ２１０〜Ｓ２２０を含んでもよい。
【０１３７】
Ｓ２１０、第１ネットワークデバイスは端末デバイスが送信した予め設定されたアップリンクシーケンスを受信し、前記予め設定されたアップリンクシーケンスは前記予め設定されたアップリンクシーケンスを受信したネットワークデバイスが第１ダウンリンク基準信号を送信することをトリガーすることに用いられる。
【０１３８】
Ｓ２１０、前記第１ネットワークデバイスは前記予め設定されたアップリンクシーケンスによって、前記端末デバイスに前記第１ダウンリンク基準信号を送信する。
【０１３９】
このため、第１ネットワークデバイスは端末デバイスが必要とする場合には、端末デバイスへ相応的な第１ダウンリンク基準信号を送信し、第１ダウンリンク基準信号の無意味な送信を減少することができ、これによりリソースの無駄を減少して、リソース使用率を向上させる。更に、該第１ネットワークデバイスは該アップリンクシーケンスを受信した後、該第１ダウンリンク基準信号をイムリーに送信することができ、これにより端末デバイスはタイムリーに該第１ダウンリンク基準信号に基づき関連操作を行うことができ、リソースの無駄を減少したうえで、端末デバイスが第１ダウンリンク基準信号を取得する需要をタイムリーに満たすことができる。
【０１４０】
なお、該アップリンクシーケンスを受信したネットワークデバイスは、該アップリンクシーケンスに基づき該第１ダウンリンク基準信号を送信することができる（以上の通信方法１００における関連説明を参照）。言い換えると、前記第１ネットワークデバイスは前記端末デバイスのサービスセル（又は滞在セル）、又は前記端末デバイスのサービスセル（又は滞在セル）の隣接セルであってもよい。アップリンクシーケンスを受信した他のネットワークデバイスの関連操作は、第１ネットワークデバイスがアップリンクシーケンスを受信した後の関連操作を参照することができ、簡潔にするために本発明ここでは繰り返して説明しない。
【０１４１】
なお、該第１ネットワークデバイスは該端末デバイスへ該第１ダウンリンク基準信号を送信する送信方式は多種を含むことができる。例えば、該第１ネットワークデバイスは放送又はユニキャストの送信方式によって該端末デバイスへ該第１ダウンリンク基準信号を送信することができ、該第１ネットワークデバイスが具体的にどのような送信方式で該端末デバイスへ該第１ダウンリンク基準信号を送信することは、本発明に限定されない。
【０１４２】
選択的に、本発明の実施例において、プロトコル又はネットワーク設定に基づいて、本発明の実施例２２０は下記の２種の場合を含んでもよい。
場合１、
該アップリンクシーケンスを受信しさえすれば、該第１ネットワークデバイスは該端末デバイスへ該第１ダウンリンク基準信号を送信する。
【０１４３】
場合２、
該第１ネットワークデバイスは該アップリンクシーケンスを受信した後に、該第１ダウンリンク基準信号を送信するかどうかを確定する。言い換えると、第１ネットワークデバイスは該アップリンクシーケンスを受信した後に且つ該端末デバイスへ該第１ダウンリンク基準信号を送信することを確定する時に、該第１ネットワークデバイスは該アップリンクシーケンスに基づき該端末デバイスへ該第１ダウンリンク基準信号を送信する。
【０１４４】
本発明の選択可能な例として、前記第１ネットワークデバイスが前記予め設定されたアップリンクシーケンスによって前記端末デバイスへ前記第１ダウンリンク基準信号を送信するのは、前記第１ネットワークデバイスは前記端末デバイスの位置情報を取得すること、及び前記第１ネットワークデバイスは前記端末デバイスの位置情報によって前記端末デバイスへ前記第１ダウンリンク基準信号を送信することを確定する時に、前記予め設定されたアップリンクシーケンスによって前記端末デバイスへ前記第１ダウンリンク基準信号を送信することを含む。
【０１４５】
具体的に、第１ネットワークデバイスは端末デバイスの位置情報に基づき、前記端末デバイスへ前記第１ダウンリンク基準信号を送信するか否かを確定することができる。例えば、第１ネットワークデバイスは前記端末デバイスの位置情報によって、前記端末デバイスが前記第１ネットワークデバイスからの距離が近いことを確定することができ、これにより前記端末デバイスへ前記第１ダウンリンク基準信号を送信することを確定する。同様に、前記予め設定されたアップリンクシーケンスを受信した他のネットワークデバイスも前記位置情報によって、前記端末デバイスへ前記第１ダウンリンク基準信号を送信するか否かを確定することができる。
【０１４６】
該第１ネットワークデバイスは少なくとも以下のいくつかの方法によって該端末デバイスの位置情報を取得することができる。
【０１４７】
一選択可能な実施例として、該第１ネットワークデバイスは複数の第３ネットワークデバイスにおける各第３ネットワークデバイスが前記予め設定されたアップリンクシーケンスを受信する受信時刻を取得することによって、該端末デバイスの位置情報を確定することができる。
【０１４８】
選択的に、該第１ネットワークデバイスは更に該第１ネットワークデバイスが該予め設定されたアップリンクシーケンスを受信する受信時刻及び複数の第３ネットワークデバイスが該予め設定されたアップリンクシーケンスを受信する経路損失に基づき、該位置情報を確定することができる。
【０１４９】
例えば、該第１ネットワークデバイス及び２つの第３ネットワークデバイスは時刻インタラクションを行うことを例とし、仮に第１ネットワークデバイスＡの座標を（ａ１、ｂ１）とし、第３ネットワークデバイスＢの座標を（ａ２、ｂ２）とし、第３ネットワークデバイスＣの座標を（ａ３、ｂ３）とし、Ａが該予め設定されたアップリンクシーケンスを受信する受信時刻とＢが該予め設定されたアップリンクシーケンスを受信する受信時刻との間の受信時刻差はΔｔ１であり、Ａがアップリンクシーケンスを受信する受信時刻とＣがアップリンクシーケンスを受信する受信時刻との間の受信時刻差はΔｔ２であり、該端末デバイスの位置を（ｘ、ｙ）として設定でき、第１ネットワークデバイスは該アップリンクシーケンスを受信するのにかかる時間をｔ１として設定でき、該第１ネットワークデバイスは式（１）−式（３）によって該端末デバイスの位置情報を確定することができる。
【数１】
2019533914.tif 000003
であり、該第１ネットワークデバイスは上記式（１）−式（３）によって該端末デバイスの位置情報を確定することができ、同様に、該アップリンクシーケンスを受信した他のネットワークデバイスは同様な方式を使用して、該端末デバイスの位置情報を確定することができ、これにより該端末デバイスの位置情報に基づき、該端末デバイスへ該第１ダウンリンク基準信号を送信するか否かを確定することができる。
【０１５０】
他の選択可能な実施例として、該第１ネットワークデバイスは複数の第４ネットワークデバイスにおける各第４ネットワークデバイスが前記予め設定されたアップリンクシーケンスを受信する経路損失を取得することによって、該端末デバイスの位置情報を確定することができる。
【０１５１】
選択的に、該第１ネットワークデバイスは該第１ネットワークデバイスが該予め設定されたアップリンクシーケンスを受信する経路損失及び該各第４ネットワークデバイスが該予め設定されたアップリンクシーケンスを受信する経路損失に基づき、該位置情報を確定することができる。
【０１５２】
いずれかのネットワークデバイスが前記アップリンクシーケンスを受信する経路損失は、該いずれかのネットワークデバイスが該アップリンクシーケンスを受信する受信電力と該端末デバイスが該アップリンクシーケンスを送信する送信電力との間の電力差に等しい。該第１ネットワークデバイスは第４ネットワークデバイスＤ、第４ネットワークデバイスＥ及び第４ネットワークデバイスＦが前記アップリンクシーケンスを受信する経路損失に基づき、該端末デバイスの位置情報を確定することができる。
【０１５３】
なお、該アップリンクシーケンスの送信電力は複数のネットワークデバイスの既知のものであり、これにより該ネットワークシステムにおけるネットワークデバイスは、該予め設定されたアップリンクシーケンスの送信電力と該予め設定されたアップリンクシーケンスを受信する受信電力に基づき、該アップリンクシーケンスの経路損失を確定することができる。例えば、第１ネットワークデバイスは該端末デバイスへ該アップリンクシーケンスの送信電力を指示するための電力情報を送信することができる。また例えば、第１ネットワークデバイスは更にメッセージの放送によって該電力情報を放送することもできる。更に例えば、該アップリンクシーケンスの送信電力は更に端末デバイス及び複数のネットワークデバイスにより予め約束されたものであってもよく、これにより端末デバイスは約束された送信電力に従って該アップリンクシーケンスを送信することができる。対応的に、該端末デバイスは該電力情報を受信した後に、該電力情報が指示した送信電力によって該アップリンクシーケンスを送信することができる。
【０１５４】
更なる選択可能な実施例として、第１ネットワークデバイスは端末デバイスの位置情報を取得するのは、第１ネットワークデバイスは前記端末デバイスが送信した位置情報を受信することを含んでもよい。
【０１５５】
このため、前記予め設定されたアップリンクシーケンスを受信したネットワークデバイスは、前記端末デバイスの位置情報によって前記端末デバイスへ前記第１ダウンリンク基準信号を送信することを確定する時、前記第１ダウンリンク基準信号を送信することができる。
【０１５６】
なお、該アップリンクシーケンスを受信したネットワークデバイスは第１ダウンリンク基準信号を送信するか否かは位置情報に関連する以外、負荷量等の情報に関連する可能性があり、具体的にネットワークデバイスの実現に関する。このため、本発明の実施例に説明されたのは、ネットワークデバイスが位置情報に基づき第１ダウンリンク基準信号を送信することを確定する時に、第１ダウンリンク基準信号を送信する。
【０１５７】
選択的に、本発明の実施例において、前記第１ネットワークデバイスは前記位置情報を取得した後に、ビームフォーミングによって前記端末デバイスへ前記第１ダウンリンク基準信号を送信することができ、空間分割多重化を実現して、スペクトル使用率を向上させることができる。
【０１５８】
選択的に、本発明の実施例において、前記通信方法は、前記第１ネットワークデバイスは前記端末デバイスへダウンリンクメッセージを送信し、前記ダウンリンクメッセージは第１リソース情報及び／又は第１パラメータ情報を含み、前記第１リソース情報は前記第１ネットワークデバイスが前記第１ダウンリンク基準信号を送信するのに占用したリソースを指示することに用いられ、前記第１パラメータ情報は前記第１ネットワークデバイスが前記第１ダウンリンク基準信号を送信するのに占用したパラメータを指示することに用いられることを含んでもよく、前記第１ネットワークデバイスが前記予め設定されたアップリンクシーケンスによって前記端末デバイスへ前記第１ダウンリンク基準信号を送信するのは、前記第１ネットワークデバイスは前記第１リソース情報と前記第１パラメータ情報の中の少なくとも１種及び前記予め設定されたアップリンクシーケンスに基づき、前記端末デバイスへ前記第１ダウンリンク基準信号を送信することを含む。
【０１５９】
前記ダウンリンクメッセージは、第１ネットワークデバイスが物理ダウンリンク制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）の物理層メッセージ又は無線リソース制御（Ｒａｄｉｏ  Ｒｅｓｏｕｒｃｅ  Ｃｏｎｔｒｏｌ、ＲＲＣ）によって送信したメッセージを含んでもよい。
【０１６０】
選択的に、本発明の実施例において、前記通信方法は、前記第１ネットワークデバイスは第２リソース情報及び／又は第２パラメータ情報を取得することを更に含み、前記第２リソース情報は少なくとも１つの第２ネットワークデバイスにおける各第２ネットワークデバイスが前記第１ダウンリンク基準信号を送信するのに占用したリソースを指示することに用いられ、前記第２パラメータ情報は各第２ネットワークデバイスが前記第１ダウンリンク基準信号を送信するパラメータを指示することに用いられ、前記ダウンリンクメッセージは前記第２リソース情報及び／又は前記第２パラメータ情報を更に含む。
【０１６１】
具体的に、以上に説明したように、第１ネットワークデバイスはアップリンクシーケンスに基づき、前記端末デバイスへ前記第１ダウンリンク基準信号を送信することができるだけでなく、前記第１ネットワークデバイスの隣接するセルはアップリンクシーケンスに基づき、前記端末デバイスへ前記第１ダウンリンク基準信号を送信することもできる。第１ネットワークデバイスは第１リソース情報、第１パラメータ情報、第２リソース情報及び第２パラメータ情報をダウンリンクメッセージによって端末デバイスに送信することができ、端末デバイスは該ダウンリンクメッセージに基づき対応するリソースで、第１ネットワークデバイス及び少なくとも１つの第２ネットワークデバイスが送信した第１ダウンリンク基準信号を受信するようにすることができる。
【０１６２】
本発明の選択可能な例として、該端末デバイスがアイドル状態にある時、該第１ネットワークデバイスは該少なくとも１つの第２ネットワークデバイスとネゴシエーションして、あるネットワークデバイスを選択して該端末デバイスへ該ダウンリンクメッセージを送信することができる。例えば、該端末デバイスの位置と最も近いネットワークデバイスが該端末デバイスへ該ダウンリンクメッセージを送信することを確定するのをネゴシエーションすることができる。更に、該端末デバイス位置と最も近いネットワークデバイスの負荷が高いと、該端末デバイス位置と近く且つ負荷が低いネットワークデバイスを選択して該端末デバイスへ該アップリンクシーケンスのダウンリンクメッセージを送信することができ、前記第１ネットワークデバイスと前記少なくとも１つの第２ネットワークデバイスとは前記端末デバイスの位置情報、及び／又は、前記第１ネットワークデバイスの負荷量及び前記少なくとも１つの第２ネットワークデバイスの負荷量に基づき、前記端末デバイスへ前記ダウンリンクメッセージを送信するネットワークデバイスは前記第１ネットワークデバイスであるのを確定する時に、前記第１ネットワークデバイスは前記予め設定されたアップリンクシーケンスによって前記端末デバイスへ前記ダウンリンクメッセージを送信する。
【０１６３】
一選択可能な実施例として、前記ダウンリンクメッセージはパラメータ情報を含んでもよい。前記第１ネットワークデバイスと前記少なくとも１つの第２ネットワークデバイスとは対応するリソースで、対応するパラメータによって端末へ第１ダウンリンク基準信号を伝送することができる。端末デバイスはこれらの第１ダウンリンク基準信号を測定して、移動性管理、例えばハンドオーバに関連する各種の報告や測定、及び可能なハンドオーバ過程等の操作を完成する。
【０１６４】
一選択可能な例として、前記ダウンリンクメッセージは前記端末デバイスを識別するための識別情報、前記端末デバイスを指示するための位置情報及び前記予め設定されたアップリンクシーケンスの中の少なくとも１種を含んでもよく、端末デバイスは該ダウンリンクメッセージが該アップリンクシーケンスに応答するためのものであることを確定するようにすることができる。具体的な説明は上記の通信方法１００における関連説明を参照でき、簡潔にするためにここで説明しない。
【０１６５】
なお、該通信方法２００における第１ネットワークデバイスは該通信方法１００における少なくとも１つの第１ネットワークデバイスにおけるある第１ネットワークデバイスに対応でき、該通信方法２００のある動作又は制限（予め設定されたアップリンクシーケンス、第１密度及び第２密度等）の具体的な説明は、いずれも通信方法１００における関連説明を参照でき、簡潔にするためにここで説明しない。
【０１６６】
このため、本発明の実施例による通信の方法は、端末デバイスが必要とする場合予め設定されたアップリンクシーケンスを送信することができ、該予め設定されたアップリンクシーケンスを受信したネットワークデバイスは端末の需要に応じて、前記端末へ前記第１ダウンリンク基準信号を送信するようにすることができ、無意味なダウンリンク基準信号の送信を減少して、リソースの利用率を向上させることができる。
【０１６７】
以上で図１及び図２を参照して本発明の実施例の通信方法を説明し、以下で図３及び図４を参照して本発明の実施例の通信装置及び通信デバイスを説明する。
【０１６８】
図３は本発明の一実施例による通信装置３００を示す模式的なブロック図であり、図３に示すように、前記通信装置３００は端末デバイスであり、前記通信装置３００は、
【０１６９】
予め設定されたアップリンクシーケンスを送信し、前記予め設定されたアップリンクシーケンスは前記予め設定されたアップリンクシーケンスを受信したネットワークデバイスが第１ダウンリンク基準信号を送信することをトリガーするための送信モジュール３１０、及び
少なくとも１つの第１ネットワークデバイスが前記予め設定されたアップリンクシーケンスによって送信した前記第１ダウンリンク基準信号を受信する受信モジュール３２０を備える。
【０１７０】
選択的に、前記受信モジュール３２０は更に、第２ネットワークデバイスが送信したダウンリンクメッセージを受信し、前記ダウンリンクメッセージはリソース情報及び／又はパラメータ情報を含み、前記リソース情報は前記少なくとも１つの第１ネットワークデバイスにおける各第１ネットワークデバイスが前記第１ダウンリンク基準信号を送信するのに占用したリソースを指示することに用いられ、前記パラメータ情報は各第１ネットワークデバイスが前記第１ダウンリンク基準信号を送信するパラメータを指示することに用いられ、
前記受信モジュール３２０は具体的に、前記リソース情報及び／又はパラメータ情報によって前記少なくとも１つの第１ネットワークデバイスが送信した前記第１ダウンリンク基準信号を受信することに用いられる。
【０１７１】
選択的に、前記ダウンリンクメッセージは前記端末デバイスを指示するための指示情報を更に含み、アイドル状態にある前記端末デバイスが前記指示情報によって前記ダウンリンクメッセージが前記端末デバイスに属することを確定するようにすることに用いられる。
【０１７２】
選択的に、前記指示情報は前記予め設定されたアップリンクシーケンス又は前記予め設定されたアップリンクシーケンスのインデックスを含む。
【０１７３】
選択的に、前記送信モジュール３１０は更に、前記端末デバイス位置を指示するための位置情報を送信し、前記指示情報が前記位置情報を含むこと、及び／又は前記端末デバイスを識別するための識別情報を送信し、前記指示情報が前記識別情報を含むことに用いられる。
【０１７４】
選択的に、前記受信モジュール３２０は更に、少なくとも１つの第３ネットワークデバイスが第１密度で送信した前記第１ダウンリンク基準信号を受信することに用いられ、前記予め設定されたアップリンクシーケンスは具体的に、前記予め設定されたアップリンクシーケンスを受信したネットワークデバイスは第２密度で前記第１ダウンリンク基準信号を送信するようにトリガーすることに用いられ、
前記受信モジュール３２０は具体的に、前記少なくとも１つの第１ネットワークデバイスが前記予め設定されたアップリンクシーケンスによって第２密度で送信した前記第１ダウンリンク基準信号を受信することに用いられ、前記第２密度は前記第１密度より大きい。
【０１７５】
選択的に、前記送信モジュール３１０は更に、前記端末デバイス位置を指示するための位置情報を送信することに用いられ、前記予め設定されたアップリンクシーケンスを受信したネットワークデバイスが前記位置情報によって前記第１ダウンリンク基準信号を送信するかどうかを確定することに用いられるようにする。
【０１７６】
選択的に、前記送信モジュール３１０は具体的に、トリガー条件を満たす時、前記予め設定されたアップリンクシーケンスを受信したネットワークデバイスはダウンリンク公共基準信号を送信するようにトリガーするための前記予め設定されたアップリンクシーケンスを送信することに用いられ、前記トリガー条件は、前記受信モジュール３２０は第４ネットワークデバイスが送信したダウンリンク信号を受信する受信電力は電力閾値より小さく、前記第４ネットワークデバイスは前記端末デバイスのサービスセルを制御し又は前記端末デバイスの滞在セルを制御することに用いられる条件と、前記通信装置は前記第４ネットワークデバイスのプリセット領域に位置する条件のうちの少なくとも１種を含む。
【０１７７】
選択的に、前記第１ダウンリンク基準信号は前記端末デバイスがアナログビームフォーミングするためのダウンリンク基準信号を含む。
【０１７８】
選択的に、前記予め設定されたアップリンクシーケンスは具体的に、前記予め設定されたアップリンクシーケンスを伝送するリソース及び／又は前記予め設定されたアップリンクシーケンスのフォーマットによって、前記予め設定されたアップリンクシーケンスを受信したネットワークデバイスは前記第１ダウンリンク基準信号を送信するようにトリガーし、及び／又は、前記予め設定されたアップリンクシーケンスを受信したネットワークデバイスは第２密度で前記第１ダウンリンク基準信号を送信するようにトリガーすることに用いられる。
【０１７９】
理解すべきなのは、ここの通信装置３００は機能モジュールの形式で現れる。ここの用語「モジュール」は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、電子回路、１つ又は複数のソフトウェア又はファームウェアプログラムを実行するためのプロセッサー（例えば共有プロセッサー、プロプライエタリプロセッサー又はグループプロセッサ等）及びメモリ、合併論理回路及び／又は他の説明した機能をサポートする適切なモジュールを指してもよい。一選択可能な例において、当業者は、通信装置３００は具体的に上記実施例の通信方法における端末デバイスであってもよく、通信装置３００は上記方法の実施例における端末デバイスに対応する各フロー及び／又はステップを実行することに用いられることができ、繰り返しを避けるため、ここでは説明しないことを理解することができる。
【０１８０】
図４は本発明の他の実施例による通信装置４００を示す模式的なブロック図であり、図４に示すように、前記通信装置は第１ネットワークデバイスであり、前記通信装置４００は、
端末デバイスが送信した予め設定されたアップリンクシーケンスを受信し、前記予め設定されたアップリンクシーケンスは前記予め設定されたアップリンクシーケンスを受信したネットワークデバイスが第１ダウンリンク基準信号を送信することをトリガーするための受信モジュール４１０、及び
前記予め設定されたアップリンクシーケンスによって前記端末デバイスへ前記第１ダウンリンク基準信号を送信するための送信モジュール４２０を備える。
選択的に、前記送信モジュール４２０は更に、前記端末デバイスへダウンリンクメッセージを送信することに用いられ、前記ダウンリンクメッセージは第１リソース情報及び／又は第１パラメータ情報を含み、前記第１リソース情報は前記第１ネットワークデバイスが前記第１ダウンリンク基準信号を送信するのに占用したリソースを指示することに用いられ、前記第１パラメータ情報は前記第１ネットワークデバイスが前記第１ダウンリンク基準信号を送信するのに占用したパラメータを指示することに用いられ、前記送信モジュール４２０は具体的に、前記第１リソース情報、前記第１パラメータ情報の中の少なくとも１種及び前記予め設定されたアップリンクシーケンスに基づき、前記端末デバイスへ前記第１ダウンリンク基準信号を送信することに用いられる。
【０１８１】
選択的に、前記通信装置４００は、第２リソース情報及び／又は第２パラメータ情報を取得するための第１処理モジュールを更に備え、前記第２リソース情報は少なくとも１つの第２ネットワークデバイスにおける各第２ネットワークデバイスが前記第１ダウンリンク基準信号を送信するのに占用したリソースを指示することに用いられ、前記第２パラメータ情報は各第２ネットワークデバイスが前記第１ダウンリンク基準信号を送信するパラメータを指示することに用いられ、前記ダウンリンクメッセージは前記第２リソース情報及び／又は前記第２パラメータ情報を更に含む。
【０１８２】
選択的に、前記ダウンリンクメッセージは前記端末デバイスを指示するための指示情報を含み、アイドル状態にある前記端末デバイスが前記指示情報によって前記ダウンリンクメッセージが前記端末デバイスに属することを確定することに用いられる。
【０１８３】
選択的に、前記指示情報は前記予め設定されたアップリンクシーケンス又は前記予め設定されたアップリンクシーケンスのインデックスを含む。
【０１８４】
選択的に、前記受信モジュール４１０は更に、前記端末デバイスが送信した前記端末デバイス位置を指示するための位置情報を受信し、前記指示情報が前記位置情報を含むこと、及び／又は前記端末デバイスが送信した前記端末デバイスを識別するための識別情報を受信し、前記指示情報が前記識別情報を含むことに用いられる。
【０１８５】
選択的に、前記通信装置４００は、前記端末デバイスの位置情報を取得するための第２処理モジュールを更に含み、前記送信モジュール４２０は具体的に、前記第２処理モジュールは前記端末デバイスの位置情報によって前記端末デバイスへ前記第１ダウンリンク基準信号を送信することを確定する時、前記予め設定されたアップリンクシーケンスによって前記端末デバイスへ前記第１ダウンリンク基準信号を送信することに用いられる。
【０１８６】
選択的に、前記第２処理モジュールは具体的に、複数の第３ネットワークデバイスにおける各第３ネットワークデバイスは前記予め設定されたアップリンクシーケンスを受信する受信時刻及び／又は複数の第４ネットワークデバイスにおける各第４ネットワークデバイスは前記予め設定されたアップリンクシーケンスを受信する経路損失を取得すること、及び各第３ネットワークデバイスは前記予め設定されたアップリンクシーケンスを受信する受信時刻及び／又は各第４ネットワークデバイスは前記予め設定されたアップリンクシーケンスを受信する経路損失に基づき、前記端末デバイスの位置情報を確定することに用いられる。
【０１８７】
選択的に、前記受信モジュール４１０は前記予め設定されたアップリンクシーケンスを受信する前に、前記送信モジュール４２０は更に、第１密度で前記第１ダウンリンク基準信号を送信することに用いられ、前記予め設定されたアップリンクシーケンスは具体的に、前記予め設定されたアップリンクシーケンスを受信したネットワークデバイスが第２密度で前記第１ダウンリンク基準信号を送信することをトリガーすることに用いられ、前記送信モジュール４２０は具体的に、前記予め設定されたアップリンクシーケンスによって第２密度で前記第１ダウンリンク基準信号を送信することに用いられ、前記第２密度は前記第１密度より大きい。
【０１８８】
選択的に、前記第１ダウンリンク基準信号はダウンリンク公共基準信号を含み、又は前記第１ダウンリンク基準信号は前記端末デバイスがアナログビームフォーミングするためのダウンリンク基準信号を含む。
【０１８９】
選択的に、前記通信装置４００は、前記予め設定されたアップリンクシーケンスを伝送するリソース及び／又は前記アップリンクシーケンスのフォーマットに基づき、前記端末デバイスへ送信したダウンリンク基準信号は前記第１ダウンリンク基準信号であることを確定し、及び／又は第２密度で前記第１ダウンリンク基準信号を送信することを確定するための第３処理モジュールを更に含む。
【０１９０】
理解すべきなのは、ここの通信装置４００は機能モジュールの形式で現れる。ここの用語「モジュール」は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、電子回路、１つ又は複数のソフトウェア又はファームウェアプログラムを実行するためのプロセッサー（例えば共有プロセッサー、プロプライエタリプロセッサー又はグループプロセッサ等）及びメモリ、合併論理回路及び／又は他の説明した機能をサポートする適切なモジュールを指してもよい。一選択可能な例において、当業者は、通信装置４００は具体的に上記実施例の通信方法における端末デバイスであってもよく、通信装置４００は上記方法の実施例における端末デバイスに対応する各フロー及び／又はステップを実行することに用いられることができ、繰り返しを避けるため、ここでは説明しないことを理解することができる。
【０１９１】
図５は本発明の一実施例による通信デバイス５００を示す模式的なブロック図であり、図５に示すように、前記通信デバイス５００は端末デバイスであり、前記通信デバイス５００はトランシーバ５１０、メモリ５２０及びプロセッサー５３０を備える。メモリ５２０は、プログラム命令を記憶することに用いられる。プロセッサー５３０はメモリ５２０に記憶されるプログラム命令をコールすることができる。プロセッサー５３０はトランシーバ５１０が情報を受信又は送信することを制御することができ、選択的に、端末デバイスはプロセッサー５３０、メモリ５２０及びトランシーバ５１０を互いに接続するバスシステム５４０を更に含み、
トランシーバ５１０は、予め設定されたアップリンクシーケンスを送信し、前記予め設定されたアップリンクシーケンスは前記予め設定されたアップリンクシーケンスを受信したネットワークデバイスが第１ダウンリンク基準信号を送信することをトリガーすることに用いられること、及び少なくとも１つの第１ネットワークデバイスが前記予め設定されたアップリンクシーケンスによって送信した前記第１ダウンリンク基準信号を受信することに用いられる。
【０１９２】
選択的に、前記トランシーバ５１０は更に、第２ネットワークデバイスが送信したダウンリンクメッセージを受信し、前記ダウンリンクメッセージはリソース情報及び／又はパラメータ情報を含み、前記リソース情報は前記少なくとも１つの第１ネットワークデバイスにおける各第１ネットワークデバイスが前記第１ダウンリンク基準信号を送信するのに占用したリソースを指示することに用いられ、前記パラメータ情報は各第１ネットワークデバイスが前記第１ダウンリンク基準信号を送信するパラメータを指示することに用いられ、
前記トランシーバ５１０は具体的に、前記リソース情報及び／又はパラメータ情報によって前記少なくとも１つの第１ネットワークデバイスが送信した前記第１ダウンリンク基準信号を受信することに用いられる。
【０１９３】
選択的に、前記ダウンリンクメッセージは前記端末デバイスを指示するための指示情報を更に含み、アイドル状態にある前記端末デバイスが前記指示情報によって前記ダウンリンクメッセージが前記端末デバイスに属することを確定することに用いられる。
【０１９４】
選択的に、前記指示情報は前記予め設定されたアップリンクシーケンス又は前記予め設定されたアップリンクシーケンスのインデックスを含む。
【０１９５】
選択的に、前記トランシーバ５１０は更に、前記端末デバイス位置を指示するための位置情報を送信し、前記指示情報が前記位置情報を含むこと、及び／又は前記端末デバイスを識別するための識別情報を送信し、前記指示情報が前記識別情報を含むことに用いられる。
【０１９６】
選択的に、前記トランシーバ５１０は更に、少なくとも１つの第３ネットワークデバイスが第１密度で送信した前記第１ダウンリンク基準信号を受信することに用いられ、前記予め設定されたアップリンクシーケンスは具体的に、前記予め設定されたアップリンクシーケンスを受信したネットワークデバイスは第２密度で前記第１ダウンリンク基準信号を送信するようにトリガーすることに用いられ、前記トランシーバ５１０は具体的に、前記少なくとも１つの第１ネットワークデバイスが前記予め設定されたアップリンクシーケンスによって第２密度で送信した前記第１ダウンリンク基準信号を受信することに用いられ、前記第２密度は前記第１密度より大きい。
【０１９７】
選択的に、前記トランシーバ５１０は具体的に、トリガー条件を満たす時、前記予め設定されたアップリンクシーケンスを受信したネットワークデバイスはダウンリンク公共基準信号を送信するようにトリガーするための前記予め設定されたアップリンクシーケンスを送信することに用いられ、前記トリガー条件は、前記トランシーバ５１０は第４ネットワークデバイスが送信したダウンリンク信号を受信する受信電力は電力閾値より小さく、前記第４ネットワークデバイスは前記端末デバイスのサービスセルを制御し又は前記端末デバイスの滞在セルを制御することに用いられる条件と、前記通信デバイス５００は前記第４ネットワークデバイスのプリセット領域に位置する条件のうちの少なくとも１種を含む。
【０１９８】
選択的に、前記第１ダウンリンク基準信号は前記端末デバイスがアナログビームフォーミングするためのダウンリンク基準信号を含む。
【０１９９】
選択的に、前記予め設定されたアップリンクシーケンスは具体的に、前記予め設定されたアップリンクシーケンスを伝送するリソース及び／又は前記予め設定されたアップリンクシーケンスのフォーマットによって、前記予め設定されたアップリンクシーケンスを受信したネットワークデバイスは前記第１ダウンリンク基準信号を送信するようにトリガーし、及び／又は、前記予め設定されたアップリンクシーケンスを受信したネットワークデバイスは第２密度で前記第１ダウンリンク基準信号を送信するようにトリガーすることに用いられる。
【０２００】
選択的に、該トランシーバ５１０は更に、前記端末デバイス位置を指示するための位置情報を送信することに用いられ、前記予め設定されたアップリンクシーケンスを受信したネットワークデバイスが前記位置情報によって前記第１ダウンリンク基準信号を送信するかどうかを確定するようにすることに用いられる。
理解すべきなのは、通信デバイス５００は具体的に上記実施例における端末デバイスであってもよく、且つ上記方法実施例における端末デバイスに対応する各ステップ及び／又はフローを実行することに用いられることができる。選択的に、該メモリ５２０は読み取り専用メモリ及びランダムアクセスメモリを含んでもよく、且つプロセッサーへ命令及びデータを提供する。メモリの一部は非揮発性ランダムアクセスメモリを含んでもよい。例えば、メモリにデバイスタイプの情報が記憶されもよい。該プロセッサー５３０はメモリに記憶された命令を実行することに用いられることができ、且つ該プロセッサーは該命令を実行する時、該プロセッサーは上記方法の実施例における第１ネットワークデバイスに対応する各ステップを実行することができる。
【０２０１】
図６は本発明の他の実施例による通信デバイス６００を示す模式的なブロック図であり、図６に示すように、前記通信デバイスは第１ネットワークデバイスであり、前記通信デバイスは、トランシーバ６１０、メモリ６２０及びプロセッサー６３０を備える。メモリ６２０は、プログラム命令を記憶することに用いられる。プロセッサー６３０はメモリ６２０に記憶されるプログラム命令をコールすることができる。プロセッサー６３０はトランシーバ６１０が情報を受信又は送信することを制御することができ、選択的に、端末デバイスはプロセッサー６３０、メモリ６２０及びトランシーバ６１０を互いに接続するバスシステム６４０を更に含み、トランシーバ６１０は、
端末デバイスが送信した予め設定されたアップリンクシーケンスを受信することに用いられ、前記予め設定されたアップリンクシーケンスは前記予め設定されたアップリンクシーケンスを受信したネットワークデバイスが第１ダウンリンク基準信号を送信することをトリガーすること、
前記予め設定されたアップリンクシーケンスによって前記端末デバイスへ前記第１ダウンリンク基準信号を送信することに用いられ。
【０２０２】
選択的に、前記トランシーバ６１０は更に、前記端末デバイスへダウンリンクメッセージを送信することに用いられ、前記ダウンリンクメッセージは第１リソース情報及び／又は第１パラメータ情報を含み、前記第１リソース情報は前記第１ネットワークデバイスが前記第１ダウンリンク基準信号を送信するのに占用したリソースを指示することに用いられ、前記第１パラメータ情報は前記第１ネットワークデバイスが前記第１ダウンリンク基準信号を送信するのに占用したパラメータを指示することに用いられ、前記トランシーバ６１０は具体的に、前記第１リソース情報と前記第１パラメータ情報の中の少なくとも１種及び前記予め設定されたアップリンクシーケンスに基づき、前記端末デバイスへ前記第１ダウンリンク基準信号を送信する。
【０２０３】
選択的に、前記プロセッサー６３０は更に第２リソース情報及び／又は第２パラメータ情報を取得することに用いられ、前記第２リソース情報は少なくとも１つの第２ネットワークデバイスにおける各第２ネットワークデバイスが前記第１ダウンリンク基準信号を送信するのに占用したリソースを指示することに用いられ、前記第２パラメータ情報は各第２ネットワークデバイスが前記第１ダウンリンク基準信号を送信するパラメータを指示することに用いられ、前記ダウンリンクメッセージは前記第２リソース情報及び／又は前記第２パラメータ情報を更に含む。
【０２０４】
選択的に、前記ダウンリンクメッセージは前記端末デバイスを指示するための指示情報を含み、アイドル状態にある前記端末デバイスが前記指示情報によって前記ダウンリンクメッセージが前記端末デバイスに属することを確定することに用いられる。
選択的に、前記指示情報は前記予め設定されたアップリンクシーケンス又は前記予め設定されたアップリンクシーケンスのインデックスを含む。
【０２０５】
選択的に、前記トランシーバ６１０は更に、前記端末デバイスが送信した前記端末デバイスの位置を指示するための位置情報を受信し、前記指示情報が前記位置情報を含むこと、及び／又は前記端末デバイスが送信した前記端末デバイスを識別するための識別情報を受信し、前記指示情報は前記識別情報を含むことに用いられる。
【０２０６】
選択的に、前記プロセッサー６３０は更に前記端末デバイスの位置情報を取得することに用いられ、前記トランシーバ６１０は具体的に、前記第２プロセッサーは前記端末デバイスの位置情報によって前記端末デバイスへ前記第１ダウンリンク基準信号を送信することを確定する時に、前記予め設定されたアップリンクシーケンスによって前記端末デバイスへ前記第１ダウンリンク基準信号を送信することに用いられる。
【０２０７】
選択的に、前記プロセッサー６３０は更に、複数の第３ネットワークデバイスにおける各第３ネットワークデバイスは前記予め設定されたアップリンクシーケンスを受信する受信時刻及び／又は複数の第４ネットワークデバイスにおける各第４ネットワークデバイスは前記予め設定されたアップリンクシーケンスを受信する経路損失を取得すること、及び各第３ネットワークデバイスは前記予め設定されたアップリンクシーケンスを受信する受信時刻及び／又は各第４ネットワークデバイスは前記予め設定されたアップリンクシーケンスを受信する経路損失に基づき、前記端末デバイスの位置情報を確定することに用いられる。
【０２０８】
選択的に、前記トランシーバ６１０は前記予め設定されたアップリンクシーケンスを受信する前に、前記トランシーバ６１０は更に、第１密度で前記第１ダウンリンク基準信号を送信することに用いられ、前記予め設定されたアップリンクシーケンスは具体的に、前記予め設定されたアップリンクシーケンスを受信したネットワークデバイスが第２密度で前記第１ダウンリンク基準信号を送信することをトリガーすることに用いられ、前記トランシーバ６１０は具体的に、前記予め設定されたアップリンクシーケンスによって第２密度で前記第１ダウンリンク基準信号を送信することに用いられ、前記第２密度は前記第１密度より大きい。
【０２０９】
選択的に、前記第１ダウンリンク基準信号はダウンリンク公共基準信号を含み、又は前記第１ダウンリンク基準信号は前記端末デバイスがアナログビームフォーミングするためのダウンリンク基準信号を含む。
【０２１０】
選択的に、前記プロセッサー６３０は更に前記予め設定されたアップリンクシーケンスを伝送するリソース及び／又は前記アップリンクシーケンスのフォーマットに基づき、前記端末デバイスへ送信したダウンリンク基準信号は前記第１ダウンリンク基準信号であることを確定し、及び／又は第２密度で前記第１ダウンリンク基準信号を送信することを確定することに用いられる。
【０２１１】
理解すべきなのは、通信デバイス６００は具体的に上記実施例における第１ネットワークデバイスであってもよく、且つ上記方法の実施例における第１ネットワークデバイスに対応する各ステップ及び／又はフローを実行することに用いられることができる。選択的に、該メモリ６２０は読み取り専用メモリ及びランダムアクセスメモリを含んでもよく、且つプロセッサーへ命令及びデータを提供する。メモリの一部は非揮発性ランダムアクセスメモリを含んでもよい。例えば、メモリにデバイスタイプの情報が記憶されもよい。該プロセッサー６３０はメモリに記憶される命令を実行することに用いられることができ、且つ該プロセッサーは該命令を実行する時に、該プロセッサーは上記方法の実施例における第１ネットワークデバイスに対応する各ステップを実行することができる。
【０２１２】
本発明の実施例において、プロセッサーは中央プロセッサー（英語：ｃｅｎｔｒａｌ  ｐｒｏｃｅｓｓｉｎｇ  ｕｎｉｔ、  ＣＰＵ）、ネットワークプロセッサー（ｎｅｔｗｏｒｋ  ｐｒｏｃｅｓｓｏｒ、  ＮＰ）又はＣＰＵとＮＰとの組み合わせであってもよい。プロセッサーは更にハードウェアチップを更に含んでもよい。上記ハードウェアチップは特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、  ＡＳＩＣ）、プログラマブルロジックデバイス（ｐｒｏｇｒａｍｍａｂｌｅ  ｌｏｇｉｃ  ｄｅｖｉｃｅ、  ＰＬＤ）又はその組み合わせであってもよい。上記ＰＬＤは複雑なプログラマブルロジックデバイス（ｃｏｍｐｌｅｘ  ｐｒｏｇｒａｍｍａｂｌｅ  ｌｏｇｉｃ  ｄｅｖｉｃｅ、略語：ＣＰＬＤ）、フィールドプログラマブルゲートアレイ（ｆｉｅｌｄ−ｐｒｏｇｒａｍｍａｂｌｅ  ｇａｔｅ  ａｒｒａｙ、  ＦＰＧＡ）、汎用アレイロジック（ｇｅｎｅｒｉｃ  ａｒｒａｙ  ｌｏｇｉｃ、  ＧＡＬ）又はその任意の組み合わせであってもよい。
【０２１３】
該トランシーバは移動端末デバイスと他のデバイス又は通信ネットワークとの間の通信を実現することができる。  
【０２１４】
該メモリは読み取り専用メモリ及びランダムアクセスメモリを含んでもよく、且つプロセッサーへ命令及びデータを提供する。プロセッサーの一部は非揮発性ランダムアクセスメモリを含んでもよい。例えば、プロセッサーにデバイスタイプの情報が記憶されてもよい。
【０２１５】
該バスシステムはデータバスを含む以外、電源バス、制御バス及び状態信号バス等を含んでもよい。表示の便利のため、図の中で一本の太い線でバスシステムを示すが、１本のバス又は１種のタイプのバスのみを有することを示さない。
【０２１６】
理解すべきなのは、本発明の実施例において、「Ａに対応するＢ」とはＢがＡに関連すると示され、ＡによってＢを確定することができる。しかし、理解すべきなのは、ＡによってＢを確定することは単にＡによってＢを確定することを意味せず、更にＡ及び／又はその他の情報によってＢを確定することができる。理解すべきなのは、本文における用語「及び／又は」、は、単に関連オブジェクトを説明するための関連関係であり、三種の関係が存在してもよいことを示し、例えば、Ａ及び／又はＢは、単独にＡが存在し、同時にＡとＢが存在し、単独にＢが存在するという三種の場合を示すことができる。また、本文におけるキャラクター「／」は、一般的に前後関連オブジェクトが「又は」の関係であることを示す。
【０２１７】
更に理解すべきなのは、本発明の様々な実施例において、上記各過程の番号は実行順序の前後を意味しなく、各過程の実行順序はその機能及び組み込み論理により確定されるべきであり、本発明の実施例の実施過程を制限しない。
【０２１８】
当業者は、本文に開示された実施例に記載の各例示のユニット及びアルゴリズムステップを組み合わせて、電子ハードウェア、又はコンピュータソフトウェア及び電子ハードウェアの組み合わせで実現することができることを認識することができる。これらの機能がハードウェアで実行するかソフトウェアで実行するかは、技術案の特定のアプリケーションおよび設計制約によって決められる。当業者は各特定のアプリケーションに対して異なる方法で説明した機能を実現することができるが、このような実現は本発明の範囲を超えると見なされるべきではない。
【０２１９】
当業者は、便利且つ簡単に説明するために、上記に記載のシステム、装置及びユニ  
ットの具体的な作業過程は、上記方法の実施例における対応過程を参照することができ、ここで繰り返して説明しないことを明らかに了解する。
【０２２０】
本発明によるいくつかの実施例において、開示したシステム、装置及び方法は、その他の方式によって実現されることができることを理解すべきである。例えば以上のような装置実施例は単に例示的なものであり、例えば、前記ユニットの分割は、ロジック機能分割だけであり、実際に実現する時に別の分割方式があり、例えば、複数のユニット又は組立部品を結合してもよいし、又は別のシステムに集積してもよいし、又はいくつかの特徴を省略でき、又は実行しなくてもよい。また、表示又は検討した互いの間にカップリング、又は直接カップリング、又は通信接続はいくつかのインターフェース、装置又はユニットによる間接カップリング又は通信接続であってもよく、電気的、機械的又はその形式の接続であってもよい。
【０２２１】
上記の分離部材として説明したユニットは物理的に分離してもよいし、又は物理的に分離しなくてもよく、ユニットとして表示する部材は物理ユニットであってもよいし、又は物理ユニットではなくてもよく、即ち１つの場所に位置してもよいし、複数のネットワークユニットに分布してもよい。実際の需要に応じてその中の一部又は全部のユニットを選択して本実施例手段の目的を実現することができる。
【０２２２】
また、本発明の各実施例における各機能ユニットは１つの処理ユニットに集積されてもよいし、各ユニットは単独に物理的に存在してもよいし、２つ又は２つ以上のユニットは１つのユニットに集積されてもよい。
【０２２３】
以上のある実施例における技術的特徴及び説明は、出願書類を簡潔で明らかにさせるために、他の実施例に適用することを理解でき、例えば方法実施例の技術特徴は装置実施例又は他の方法実施例に適用でき、他の実施例において一つ一つに説明しない。
【０２２４】
前記機能はソフトウェア機能ユニットの形式で実現するとともに独立した製品として販売又は使用される場合、1つのコンピュータ読み取り可能な記憶媒体に記憶されることができる。このような理解に基づいて、本発明の技術的解決手段は本質的に、或いは従来技術に貢献する部分は或いは該技術的解決手段の部分はソフトウェア製品の形式で表現することができ、該コンピュータソフトウェア製品が１つの記憶媒体に記憶され、一台のコンピュータ設備（パーソナルコンピュータ、サーバー、或いはネットワーク設備等である）で本発明の各実施例に記載の方法の全部又は一部を実行するための複数の指令を含む。前述記憶媒体は、Ｕディスク、モバイルハードディスク、読み出し専用記憶装置（ＲＯＭ  Ｒｅａｄ−Ｏｎｌｙ  Ｍｅｍｏｒｙ）、ランダムアクセスメモリ（ＲＡＭ  Ｒａｎｄｏｍ  Ａｃｃｅｓｓ  Ｍｅｍｏｒｙ）、磁気ディスク或いはＣＤ等の様々なプログラムコードを記憶できる媒体である。
【０２２５】
以上は、単に本発明の具体的な実施形態であるが、本発明の保護範囲はこれに限定されず、当業者は誰でも、本発明に開示された技術範囲において容易に想到しうる変化又は置換は、その全ては本発明の保護範囲に含まれる。このため、本発明の保護範囲は請求項の範囲の保護範囲を基準とすべきである。
【図１】
2019533914.tif 000004
【図２】
2019533914.tif 000005
【図３】
2019533914.tif 000006
【図４】
2019533914.tif 000007
【図５】
2019533914.tif 000008
【図６】
2019533914.tif 000009
【手続補正書】
【提出日】令和1年9月6日(2019.9.6)
【手続補正１】
【補正対象書類名】明細書
【補正対象項目名】００２４
【補正方法】変更
【補正の内容】
【００２４】
第１態様の可能な実現形態において、前記端末デバイスはトリガー条件を満たす時、前記予め設定されたアップリンクシーケンスを受信したネットワークデバイスがダウンリンク公共基準信号を送信するようにトリガーするための前記予め設定されたアップリンクシーケンスを送信する。前記トリガー条件は、第４ネットワークデバイスが送信したダウンリンク信号を受信する受信電力は電力閾値より小さく、第４ネットワークデバイスは前記端末デバイスのサービスセルを制御することに用いられ又は前記端末デバイスの滞在セルを制御することに用いられる条件と、前記端末デバイスは前記第４ネットワークデバイスのプリセット領域に位置する条件のうちの少なくとも１種を含む。
【手続補正２】
【補正対象書類名】明細書
【補正対象項目名】００４５
【補正方法】変更
【補正の内容】
【００４５】
第２態様の可能な実現形態において、前記通信方法は、前記第１ネットワークデバイスは前記端末デバイスが送信した前記端末デバイスの位置を指示するための位置情報を受信し、前記指示情報は前記位置情報を含むこと、及び／又は前記第１ネットワークデバイスは前記端末デバイスが送信した前記端末デバイスを識別するための識別情報を受信し、前記指示情報は前記識別情報を含むことを更に含む。
【手続補正３】
【補正対象書類名】明細書
【補正対象項目名】００７７
【補正方法】変更
【補正の内容】
【００７７】
以下、図１及び図２を参照して本発明の実施例の信号を送信する通信方法を詳細的に説明する。
【手続補正４】
【補正対象書類名】明細書
【補正対象項目名】００９３
【補正方法】変更
【補正の内容】
【００９３】
選択的に、本発明の実施例において、端末デバイスがアップリンクシーケンスを送信するリソース（例えば時間領域及び／又は周波数領域の位置）及び／又は使用された予め設定されたアップリンクシーケンス（又はシーケンスグループ）は、複数のネットワークデバイスの既知のものである。これはプロトコルによって事前に約束されるか又はネットワークデバイス間の協調によって実現されることができる。例えば、該アップリンクシーケンスの占用したリソース（例えば時間領域及び／又は周波数領域の位置）及び／又は使用された予め設定されたアップリンクシーケンス（又はシーケンスグループ）は、ネットワークデバイス（例えば、端末デバイスのサービスセルのネットワークデバイス）のダウンリンク放送チャネルによって放送されることができる。このため、端末デバイスは所定のリソースでネットワークデバイスＡへアップリンクシーケンスを送信する時、前記ネットワークデバイスＡの隣接セルは該アップリンクシーケンスを検出（又は受信）することができる。相応的に、前記ネットワークデバイスＡの隣接セルは該アップリンクシーケンスを検出（又は受信）し、前記端末デバイスへ前記第１ダウンリンク基準信号を送信してもよい。このため、端末デバイスはネットワークデバイスＡが送信した前記第１ダウンリンク基準信号を受信することができるだけでなく、前記ネットワークデバイスＡの隣接セルが送信した前記第１ダウンリンク基準信号を受信することができる。
【手続補正５】
【補正対象書類名】明細書
【補正対象項目名】０１２６
【補正方法】変更
【補正の内容】
【０１２６】
条件２、前記端末デバイスは前記第４ネットワークデバイスのプリセット領域に位置する条件。
【手続補正６】
【補正対象書類名】明細書
【補正対象項目名】０１３０
【補正方法】変更
【補正の内容】
【０１３０】
選択的に、本発明の実施例において、前記端末デバイスは自己のトレーニング需要に基づき、ネットワークデバイスが前記端末デバイスのアナログビームフォーミング用のダウンリンク基準信号を送信することをトリガーするためのアップリンクシーケンスを送信することができる。言い換えると、前記第１基準信号は前記端末デバイスがアナログビームフォーミングするためのダウンリンク基準信号を含んでもよい。
【手続補正７】
【補正対象書類名】明細書
【補正対象項目名】０１３７
【補正方法】変更
【補正の内容】
【０１３７】
Ｓ２２０、前記第１ネットワークデバイスは前記予め設定されたアップリンクシーケンスによって、前記端末デバイスに前記第１ダウンリンク基準信号を送信する。
【手続補正８】
【補正対象書類名】明細書
【補正対象項目名】０１８９
【補正方法】変更
【補正の内容】
【０１８９】
理解すべきなのは、ここの通信装置４００は機能モジュールの形式で現れる。ここの用語「モジュール」は特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、電子回路、１つ又は複数のソフトウェア又はファームウェアプログラムを実行するためのプロセッサー（例えば共有プロセッサー、プロプライエタリプロセッサー又はグループプロセッサ等）及びメモリ、合併論理回路及び／又は他の説明した機能をサポートする適切なモジュールを指してもよい。一選択可能な例において、当業者は、通信装置４００は具体的に上記実施例の通信方法における第１ネットワークデバイスであってもよく、通信装置４００は上記方法の実施例における第１ネットワークデバイスに対応する各フロー及び／又はステップを実行することに用いられることができ、繰り返しを避けるため、ここでは説明しないことを理解することができる。
【手続補正９】
【補正対象書類名】特許請求の範囲
【補正対象項目名】全文
【補正方法】変更
【補正の内容】
【特許請求の範囲】
【請求項１】
通信方法であって、前記通信方法は、
端末デバイスは予め設定されたアップリンクシーケンスを送信し、前記予め設定されたアップリンクシーケンスは前記予め設定されたアップリンクシーケンスを受信したネットワークデバイスが第１ダウンリンク基準信号を送信することをトリガーすることに用いられること、及び
前記端末デバイスは少なくとも１つの第１ネットワークデバイスが前記予め設定されたアップリンクシーケンスによって送信した前記第１ダウンリンク基準信号を受信することを含むことを特徴とする通信方法。
【請求項２】
前記通信方法は、
前記端末デバイスは第２ネットワークデバイスが送信したダウンリンクメッセージを受信し、前記ダウンリンクメッセージはリソース情報及び／又はパラメータ情報を含み、前記リソース情報は前記少なくとも１つの第１ネットワークデバイスにおける各第１ネットワークデバイスが前記第１ダウンリンク基準信号を送信するのに占用したリソースを指示することに用いられ、前記パラメータ情報は各第１ネットワークデバイスが前記第１ダウンリンク基準信号を送信するパラメータを指示することに用いられることを更に含み、
前記端末デバイスは少なくとも１つの第１ネットワークデバイスが前記予め設定されたアップリンクシーケンスによって送信した前記第１ダウンリンク基準信号を受信するのは、
前記端末デバイスは前記リソース情報及び／又はパラメータ情報によって、前記少なくとも１つの第１ネットワークデバイスが送信した前記第１ダウンリンク基準信号を受信することを含むことを特徴とする請求項１に記載の通信方法。
【請求項３】
前記ダウンリンクメッセージは前記端末デバイスを指示するための指示情報を更に含み、アイドル状態にある前記端末デバイスは前記指示情報によって前記ダウンリンクメッセージが前記端末デバイスに属することを確定することに用いられ、
前記指示情報は前記予め設定されたアップリンクシーケンス又は前記予め設定されたアップリンクシーケンスのインデックスを含み、
前記通信方法は、
前記端末デバイスは前記端末デバイス位置を指示するための位置情報を送信し、前記指示情報は前記位置情報を含むこと、及び／又は
前記端末デバイスは前記端末デバイスを識別するための識別情報を送信し、前記指示情報が前記識別情報を含むことを更に含むことを特徴とする請求項２に記載の通信方法。
【請求項４】
前記通信方法は、
前記端末デバイスは前記端末デバイスの位置を指示するための位置情報を送信し、前記予め設定されたアップリンクシーケンスを受信したネットワークデバイスが前記位置情報によって前記第１ダウンリンク基準信号を送信するかどうかを確定することに用いられることを更に含むことを特徴とする請求項１〜３のいずれかに記載の通信方法。
【請求項５】
前記端末デバイスは予め設定されたアップリンクシーケンスを送信する前に、前記通信方法は、
前記端末デバイスは少なくとも１つの第３ネットワークデバイスが第１密度で送信した前記第１ダウンリンク基準信号を受信することを更に含み、
前記予め設定されたアップリンクシーケンスは具体的に、前記予め設定されたアップリンクシーケンスを受信したネットワークデバイスが第２密度で前記第１ダウンリンク基準信号を送信するようにトリガーすることに用いられ、前記端末デバイスは少なくとも１つの第１ネットワークデバイスが前記予め設定されたアップリンクシーケンスによって送信した前記第１ダウンリンク基準信号を受信するのは、
前記端末デバイスは少なくとも１つの第１ネットワークデバイスが前記予め設定されたアップリンクシーケンスによって第２密度で送信した前記第１ダウンリンク基準信号を受信することを含み、前記第２密度は前記第１密度より大きいことを特徴とする請求項１〜４のいずれかに記載の通信方法。
【請求項６】
前記端末デバイスが予め設定されたアップリンクシーケンスを送信するのは、
前記端末デバイスはトリガー条件を満たす時、前記予め設定されたアップリンクシーケンスを受信したネットワークデバイスがダウンリンク公共基準信号を送信するようにトリガーするための前記予め設定されたアップリンクシーケンスを送信することを含み、前記トリガー条件は、
第４ネットワークデバイスが送信したダウンリンク信号を受信する受信電力は電力閾値より小さく、前記第４ネットワークデバイスは前記端末デバイスのサービスセルを制御し又は前記端末デバイスの滞在セルを制御することに用いられる条件と、
前記端末デバイスは前記第４ネットワークデバイスのプリセット領域に位置する条件のうちの少なくとも１種を含み、
前記第１ダウンリンク基準信号は前記端末デバイスがアナログビームフォーミングするためのダウンリンク基準信号を含むことを特徴とする請求項１〜５のいずれかに記載の通信方法。
【請求項７】
前記予め設定されたアップリンクシーケンスは具体的に、前記予め設定されたアップリンクシーケンスを伝送するリソース及び／又は前記予め設定されたアップリンクシーケンスのフォーマットによって、前記予め設定されたアップリンクシーケンスを受信したネットワークデバイスは前記第１ダウンリンク基準信号を送信するようにトリガーすること、及び／又は、前記予め設定されたアップリンクシーケンスを受信したネットワークデバイスが第２密度で前記第１ダウンリンク基準信号を送信するようにトリガーすることに用いられることを特徴とする請求項１〜６のいずれかに記載の通信方法。
【請求項８】
通信方法であって、前記通信方法は、
第１ネットワークデバイスは端末デバイスが送信した予め設定されたアップリンクシーケンスを受信し、前記予め設定されたアップリンクシーケンスは、前記予め設定されたアップリンクシーケンスを受信したネットワークデバイスが第１ダウンリンク基準信号を送信することをトリガーすることに用いられること、及び
前記第１ネットワークデバイスは前記予め設定されたアップリンクシーケンスによって前記端末デバイスへ前記第１ダウンリンク基準信号を送信することを含むことを特徴とする通信方法。
【請求項９】
前記通信方法は、
前記第１ネットワークデバイスは前記端末デバイスへダウンリンクメッセージを送信し、前記ダウンリンクメッセージは第１リソース情報及び／又は第１パラメータ情報を含み、前記第１リソース情報は前記第１ネットワークデバイスが前記第１ダウンリンク基準信号を送信するのに占用したリソースを指示することに用いられ、前記第１パラメータ情報は前記第１ネットワークデバイスが前記第１ダウンリンク基準信号を送信するのに占用したパラメータを指示することに用いられることを更に含み、
前記第１ネットワークデバイスが前記予め設定されたアップリンクシーケンスによって前記端末デバイスへ前記第１ダウンリンク基準信号を送信するのは、
前記第１ネットワークデバイスは前記第１リソース情報と前記第１パラメータ情報の中の少なくとも１種及び前記予め設定されたアップリンクシーケンスに基づき前記端末デバイスへ前記第１ダウンリンク基準信号を送信することを含み、
前記通信方法は、
前記第１ネットワークデバイスは第２リソース情報及び／又は第２パラメータ情報を取得することを更に含み、前記第２リソース情報は少なくとも１つの第２ネットワークデバイスにおける各第２ネットワークデバイスが前記第１ダウンリンク基準信号を送信するのに占用したリソースを指示することに用いられ、前記第２パラメータ情報は各第２ネットワークデバイスが前記第１ダウンリンク基準信号を送信するパラメータを指示することに用いられ、前記ダウンリンクメッセージは前記第２リソース情報及び／又は前記第２パラメータ情報を更に含むことを特徴とする請求項８に記載の通信方法。
【請求項１０】
前記ダウンリンクメッセージは前記端末デバイスを指示するための指示情報を含み、アイドル状態にある前記端末デバイスが前記指示情報によって、前記ダウンリンクメッセージが前記端末デバイスに属することを確定することに用いられ、
前記指示情報は前記予め設定されたアップリンクシーケンス又は前記予め設定されたアップリンクシーケンスのインデックスを含み、
前記通信方法は、
前記第１ネットワークデバイスは前記端末デバイスが送信した前記端末デバイスの位置を指示するための位置情報を受信し、前記指示情報は前記位置情報を含むこと、及び／又は
前記第１ネットワークデバイスは前記端末デバイスが送信した前記端末デバイスを識別するための識別情報を受信し、前記指示情報は前記識別情報を含むことを更に含むことを特徴とする請求項９に記載の通信方法。
【請求項１１】
前記第１ネットワークデバイスが前記予め設定されたアップリンクシーケンスによって前記端末デバイスへ前記第１ダウンリンク基準信号を送信するのは、前記第１ネットワークデバイスは前記端末デバイスの位置情報を取得すること、及び
前記第１ネットワークデバイスは前記予め設定されたアップリンクシーケンス及び前記端末デバイスの位置情報によって前記端末デバイスへ前記第１ダウンリンク基準信号を送信することを確定する時に、前記予め設定されたアップリンクシーケンスによって前記端末デバイスへ前記第１ダウンリンク基準信号を送信することを含み、
前記第１ネットワークデバイスが前記端末デバイスの位置情報を取得するのは、
前記第１ネットワークデバイスは複数の第３ネットワークデバイスにおける各第３ネットワークデバイスが前記予め設定されたアップリンクシーケンスを受信する受信時刻及び／又は複数の第４ネットワークデバイスにおける各第４ネットワークデバイスが前記予め設定されたアップリンクシーケンスを受信する経路損失を取得すること、及び
前記第１ネットワークデバイスは各第３ネットワークデバイスが前記予め設定されたアップリンクシーケンスを受信する受信時刻及び／又は各第４ネットワークデバイスが前記予め設定されたアップリンクシーケンスを受信する経路損失に基づき、前記端末デバイスの位置情報を確定することを含むことを特徴とする請求項８〜１０のいずれかに記載の方法。
【請求項１２】
前記第１ネットワークデバイスは前記予め設定されたアップリンクシーケンスを受信する前に、前記通信方法は、
前記第１ネットワークデバイスが第１密度で前記第１ダウンリンク基準信号を送信することを更に含み、
前記予め設定されたアップリンクシーケンスは具体的に、前記予め設定されたアップリンクシーケンスを受信したネットワークデバイスが第２密度で前記第１ダウンリンク基準信号を送信することをトリガーすることに用いられ、前記第１ネットワークデバイスが前記予め設定されたアップリンクシーケンスによって前記端末デバイスへ前記第１ダウンリンク基準信号を送信するのは、
前記第１ネットワークデバイスが前記予め設定されたアップリンクシーケンスによって第２密度で前記第１ダウンリンク基準信号を送信することを含み、前記第２密度は前記第１密度より大きく、
前記第１ダウンリンク基準信号はダウンリンク公共基準信号を含み、又は
前記第１ダウンリンク基準信号は前記端末デバイスがアナログビームフォーミングするためのダウンリンク基準信号を含むことを特徴とする請求項８〜１１のいずれかに記載の通信方法。
【請求項１３】
前記第１ネットワークデバイスが前記予め設定されたアップリンクシーケンスによって前記端末デバイスへ前記第１ダウンリンク基準信号を送信する前に、前記方法は、
前記第１ネットワークデバイスは前記予め設定されたアップリンクシーケンスを伝送するリソース及び／又は前記アップリンクシーケンスのフォーマットに基づき、前記端末デバイスへ送信したダウンリンク基準信号は前記第１ダウンリンク基準信号であることを確定し、及び／又は第２密度で前記第１ダウンリンク基準信号を送信することを確定することを更に含むことを特徴とする請求項８〜１２のいずれかに記載の通信方法。
【請求項１４】
通信デバイスであって、前記通信デバイスは端末デバイスであり、前記通信デバイスは、
トランシーバ、メモリ及びプロセッサーを備え、
前記トランシーバは信号／情報を送受信し、前記メモリは命令を記憶し、前記プロセッサーは前記メモリに記憶される命令を実行して、且つ前記プロセッサーが前記メモリに記憶される命令を実行する場合に、前記実行によって前記プロセッサーは請求項１〜７のいずれか一項に記載の通信方法を実行する通信デバイス。
【請求項１５】
通信デバイスであって、前記通信デバイスは第１ネットワークデバイスであり、前記通信デバイスは、
トランシーバ、メモリ及びプロセッサーを備え、
前記トランシーバは信号／情報を送受信し、前記メモリは命令を記憶し、前記プロセッサーは前記メモリに記憶される命令を実行して、且つ前記プロセッサーが前記メモリに記憶される命令を実行する場合に、前記実行によって前記プロセッサーは請求項８〜１１のいずれか一項に記載の通信方法を実行する通信デバイス。
【国際調査報告】
2019533914.tif 000010
2019533914.tif 000011
2019533914.tif 000012
2019533914.tif 000013